(57)【特許請求の範囲】
【請求項１】
少なくとも１つのアウトレット、少なくとも１つのキー、又は前記少なくとも１つのアウトレット及び前記少なくとも１つのキーの組み合わせを収容可能な正方形の開口アクセス又は長方形の開口アクセスを有する、成形された平坦なフレームであって、
前記成形された平坦なフレームは、複数の装飾挿入物を接合するための複数の接合空間を有する成形フレームであり、前記複数の接合空間それぞれの幅と前記少なくとも１つのキーの対応する幅とは同一であり、
前記複数の装飾挿入物は、成形された長方形の装飾挿入物及び切り出された正方形の装飾挿入物の少なくとも一方を含み、また、前記複数の装飾挿入物は、装飾クリスタルシート及びガラスシートの一方から切り出された挿入物と、透明なプラスチック材料から成形された挿入物と、インプリント及びカラーコーティングの少なくとも一方が施された背面を持ち且つガラスキーホルダに接合されうる有色又は透明の挿入物とのうちの少なくとも１つを含み、
前記少なくとも１つのキーは、成形されたプッシュキー及びガラスキーのうちのいずれかであり、前記ガラスキーホルダは、指のプッシュによって、ハイブリッドスイッチ及び手動スイッチのうちの１つを動作させるためにキーベースに取り付けられ、
前記少なくとも１つのアウトレットと前記ハイブリッドスイッチ及び手動スイッチのうちの１つとは、支持ボックスに取り付けられ、
前記支持ボックスは、ボックスフレームと、前記成形された平坦なフレームの背面に成形された鋸歯状スタッドをセルフロックするためのレセプタクルと、前記成形された平坦なフレームと、を含み、前記平坦なフレームは、手によるプッシュによって前記少なくとも１つのキーのいずれかと前記成形された平坦なフレームとが接合されると、平坦な面及び壁のうちの１つに取り付けられるアセンブリに至るまで平坦な表面を提供する、
成形された平坦なフレーム。
【請求項２】
前記複数の装飾挿入物それぞれの幅と、前記複数の接合空間それぞれの対応する幅と、前記少なくとも１つのキーの対応する幅とは同一である、
請求項１に記載の成形された平坦なフレーム。
【請求項３】
前記成形された平坦なフレームは、左側の装飾挿入物を接合するための左側の接合空間と、右側の装飾挿入物を接合するための右側の接合空間とを有し、前記左側の装飾挿入物の長さと、前記左側の接合空間の対応する長さと、前記右側の装飾挿入物の対応する長さと、前記右側の接合空間の対応する長さと、前記少なくとも１つのキーの対応する長さとは同一であり、前記左側及び右側の装飾挿入物のそれぞれは、前記複数の装飾挿入物の１つに対応する、
請求項１に記載の成形された平坦なフレーム。
【請求項４】
前記成形された平坦なフレームは、左側の装飾挿入物を接合するための左側の接合空間と、右側の装飾挿入物を接合するための右側の接合空間とを有し、前記左側の装飾挿入物の幅と、前記左側の接合空間の対応する幅と、前記右側の装飾挿入物の対応する幅と、前記右側の接合空間の対応する幅とは、前記少なくとも１つのキーの対応する幅と異なり、前記左側及び右側の装飾挿入物のそれぞれは、前記複数の装飾挿入物の１つに対応する、
請求項１に記載の成形された平坦なフレーム。
【請求項５】
前記複数の装飾挿入物の１つを介して取り付けられた前記成形されたプッシュキーを持つ前記成形された平坦なフレームの厚さと、前記複数の装飾挿入物の１つを介して取り付けられた前記ガラスキーを持つ前記成形された平坦なフレームの厚さとは同一であり、
前記成形された平坦なフレームは、現在取り付けられているフレームを引っ張り、前記レセプタクルから前記鋸歯状スタッドをアンロックし、少なくとも１つのキーを前記キーベースに取り付けられた前記ガラスキーホルダから取り外し、置換するキーを前記ガラスキーホルダに取り付け、手によるプッシュによって置換するフレームを取り付けることによって、装飾フレームからベースフレームへ又は前記ベースフレームから前記装飾フレームへと交換可能である、
請求項１に記載の成形された平坦なフレーム。
【請求項６】
前記レセプタクルは、前記少なくとも１つのアウトレットと、前記ハイブリッドスイッチ及び手動スイッチのうちの１つとのうち、少なくともいずれか一方のものをロックするためのロッキングアームに組み込まれた少なくとも１つのレセプタクルを含み、
前記鋸歯状スタッドの挿入は、前記支持ボックスのボディと前記ロッキングアームとの間に挿入された前記鋸歯状スタッドによって導入されるさらなる圧力により、前記少なくとも１つのアウトレットと前記ハイブリッドスイッチ及び手動スイッチのうちの１つとを堅固にロックしてラッチする、
請求項１に記載の成形された平坦なフレーム。
【請求項７】
前記少なくとも１つのキーのうちの１つの各端部の凸部は、前記ハイブリッドスイッチの上部に取り付けられた前記少なくとも１つのキーのうちの１つの上下移動を制限し、前記ハイブリッドスイッチは、摩擦及び張力のない上下への触知できる移動を可能にし、そして、アクセス可能なキー表面の全体に対する指によるプッシュによって動かされる触覚ばね上にある前記キーベースのロッドを押すことによってハイブリッドスイッチを動作させるための２ペアの半円形の切り欠きにより、前記触覚ばねの各端部にある構造的に丸いヒンジのペアを支持するように構成される、
請求項１に記載の成形された平坦なフレーム。
【請求項８】
前記少なくとも１つのキーのうちの１つの各端部の凸部は、前記ハイブリッドスイッチの上部に取り付けられた前記少なくとも１つのキーのうちの１つの上下移動を制限し、前記ハイブリッドスイッチは、摩擦及び張力のない上下双方向への触知できる移動を可能にし、そして、二重の触覚ばね上及び支点の回転シーソーバー上にある前記キーベースのロッドを押すことによってトグルスイッチ及びロッカースイッチのうちの１つを動作させるための２ペアの半円形の切り欠きにより、前記二重の触覚ばねの各端部にある構造的に丸いヒンジのペアを支持するように構成され、
前記上下双方向への触知できる移動のそれぞれは、前記回転シーソーバーを傾け、前記少なくとも１つのキーの２つの対向する表面のうちの１つの指示された表面上での指によるプッシュによって、ポールコンタクトを第１のコンタクトから第２のコンタクトへ又はコンタクトなしの状態へそれぞれ切り替える、
請求項１に記載の成形された平坦なフレーム。
【請求項９】
前記支持ボックスは、インテリジェント支持ボックスであり、前記トグルスイッチ及びロッカースイッチのうちの１つは、前記インテリジェント支持ボックスに取り付けられ、前記インテリジェント支持ボックスは、指示される前記表面を変えて、前記トグルスイッチ及びロッカースイッチのうちの１つと、切り替えのための前記少なくとも１つのキーのアクティブ面とに接続される所与の負荷のステータスを示すデュアルインジケータを含み、
前記インテリジェント支持ボックスは、前記デュアルインジケータについての前記アクティブ面を示すために前記インテリジェント支持ボックスに含まれる感知及びステータス識別センサよって提供される前記所与の負荷及び切り替え位置データに基づいて、ＣＰＵ及びメモリを介して動作する、
請求項８に記載の成形された平坦なフレーム。
【請求項１０】
前記正方形の開口アクセス及び前記長方形の開口アクセスのうち少なくとも１つを含む前記成形された平坦なフレームの全体をカバーするサイズにされた単一の挿入物は、各々がインジケータによって識別される複数のタッチアイコンへの取り付けのために使用され、
前記成形された平坦なフレームをカバーして開口アクセスの隙間をなくす前記単一の挿入物の背面にある所与のスペースには、前記複数のタッチアイコン及び少なくとも１つのスイッチについての前記少なくとも１つのキーと同じような外観を提供するような印刷がされているか又はカラーコーティングがされており、
成形された平坦なスクリーンが前記支持ボックスに取り付けられ、前記支持ボックスには、前記鋸歯状スタッドを介して前記複数のタッチアイコンが組み込まれており、平坦なパネルベースが、前記平坦なパネルベースのエッジに含まれる凹部とセルフロッキング凸部とを介してウォールボックスに、又は直接壁に取り付けられる、
請求項１に記載の成形された平坦なフレーム。
【請求項１１】
少なくとも１つのアウトレット、少なくとも１つのキー、又は前記少なくとも１つのアウトレット及び前記少なくとも１つのキーの組み合わせを収容可能な正方形の開口アクセス又は長方形の開口アクセスを有する成形された平坦なフレームを実装するための方法であって、
前記少なくとも１つのアウトレットと、ハイブリッドスイッチ及び手動スイッチのうちの１つとは、支持ボックスに取り付けられ、前記支持ボックスは、ボックスフレームと、前記成形された平坦なフレームの背面に成形された鋸歯状スタッドをセルフロックするためのレセプタクルとを含むように構成され、
前記成形された平坦なフレームは、複数の装飾挿入物を接合するための複数の接合空間を有する成形フレームであり、前記複数の接合空間それぞれの幅と前記少なくとも１つのキーの対応する幅とは同一であり、前記複数の装飾挿入物は、成形された長方形の装飾挿入物及び切り出された正方形の装飾挿入物の少なくとも一方を含み、また、前記複数の装飾挿入物は、装飾クリスタルシート及びガラスシートの一方から切り出された挿入物と、透明なプラスチック材料から成形された挿入物と、インプリント及びカラーコーティングの少なくとも一方が施された背面を持ち且つガラスキーホルダに接合されうる有色又は透明の挿入物とのうちの少なくとも１つを含み、
前記少なくとも１つのキーは、成形されたプッシュキー及びガラスキーのうちのいずれかであり、前記ガラスキーホルダは、指のプッシュによって前記ハイブリッドスイッチ及び手動スイッチのうちの１つを動作させるためにキーベースに取り付けられ、
前記方法は、
ａ．前記少なくとも１つのアウトレット及び前記ハイブリッドスイッチ及び手動スイッチのうちの１つを前記支持ボックスに取り付けるステップと、
ｂ．前記少なくとも１つのキー及び前記ガラスキーホルダを、前記支持ボックスに取り付けられた前記ハイブリッドスイッチ及び手動スイッチのうちの１つに取り付けるステップと、
ｃ．前記複数の装飾挿入物を持つ前記成形された平坦なフレームを、前記レセプタクルを含む前記支持ボックスのフレームに取り付けるステップであって、前記支持ボックスの前記フレームは壁に取り付けられる、ステップと、
ｄ．平坦な取り付けられた装飾のアセンブリを、前記支持ボックスの前記フレームに押し付けるステップと
を含み、前記平坦なフレームは、手によるプッシュによって前記少なくとも１つのキーのいずれかと前記成形された平坦なフレームとが接合されると、平坦な面及び壁のうちの１つに取り付けられるアセンブリに至るまで平坦な表面を提供する、
方法。
【請求項１２】
前記複数の装飾挿入物それぞれの幅と、前記複数の接合空間それぞれの対応する幅と、前記少なくとも１つのキーの対応する幅とは同一である、
請求項１１に記載の方法。
【請求項１３】
前記成形された平坦なフレームは、左側の装飾挿入物を接合するための左側の接合空間と、右側の装飾挿入物を接合するための右側の接合空間とを有し、前記左側の装飾挿入物の長さと、前記左側の接合空間の対応する長さと、前記右側の装飾挿入物の対応する長さと、前記右側の接合空間の対応する長さと、前記少なくとも１つのキーの対応する長さとは同一であり、前記左側及び右側の装飾挿入物のそれぞれは、前記複数の装飾挿入物の１つに対応する
請求項１１に記載の方法。
【請求項１４】
前記成形された平坦なフレームは、左側の装飾挿入物を接合するための左側の接合空間と、右側の装飾挿入物を接合するための右側の接合空間とを有し、前記左側の装飾挿入物の幅と、前記左側の接合空間の対応する幅と、前記右側の装飾挿入物の対応する幅と、前記右側の接合空間の対応する幅とは、前記少なくとも１つのキーの対応する幅と異なり、前記左側及び右側の装飾挿入物のそれぞれは、前記複数の装飾挿入物の１つに対応する
請求項１１に記載の方法。
【請求項１５】
前記複数の装飾挿入物の１つを介して取り付けられた前記成形されたプッシュキーを持つ前記成形された平坦なフレームの厚さと、前記複数の装飾挿入物の１つを介して取り付けられた前記ガラスキーを持つ前記成形された平坦なフレームの厚さとは同一であり、
前記成形されたフレームは、現在取り付けられているフレームを引っ張り、前記レセプタクルから前記鋸歯状スタッドをアンロックし、少なくとも１つのキーを前記キーベースに取り付けられた前記ガラスキーホルダから取り外し、置換するキーを前記ガラスキーホルダに取り付け、手によるプッシュによって置換するフレームを取り付けることによって、装飾フレームからベースフレームへ又は前記ベースフレームから前記装飾フレームへと交換可能である
請求項１１に記載の方法。
【請求項１６】
前記レセプタクルは、前記少なくとも１つのアウトレットと、前記ハイブリッドスイッチ及び手動スイッチのうちの１つとのうち、少なくともいずれか一方のものをロックするためのロッキングアームに組み込まれた少なくとも１つのレセプタクルを含み、
前記鋸歯状スタッドの挿入は、前記支持ボックスのボディと前記ロッキングアームとの間に挿入された前記鋸歯状スタッドによって導入されるさらなる圧力により、前記少なくとも１つのアウトレットと前記ハイブリッドスイッチ及び手動スイッチのうちの１つとを堅固にロックしてラッチする
請求項１１に記載の方法。
【請求項１７】
前記少なくとも１つのキーのうちの１つの各端部の凸部は、前記ハイブリッドスイッチの上部に取り付けられた前記少なくとも１つのキーのうちの１つの上下移動を制限し、前記ハイブリッドスイッチは、摩擦及び張力のない上下への触知できる移動を可能にし、そして、アクセス可能なキー表面の全体に対する指によるプッシュによって動かされる触覚ばね上にある前記キーベースのロッドを押すことによってハイブリッドスイッチを動作させるための２ペアの半円形の切り欠きにより、前記触覚ばねの各端部にある構造的に丸いヒンジのペアを支持するように構成される
請求項１１に記載の方法。
【請求項１８】
前記少なくとも１つのキーのうちの１つの各端部の凸部は、前記ハイブリッドスイッチの上部に取り付けられた前記少なくとも１つのキーのうちの１つの上下移動を制限し、前記ハイブリッドスイッチは、摩擦及び張力のない上下双方向への触知できる移動を可能にし、そして、二重の触覚ばね上及び支点の回転シーソーバー上にある前記キーベースのロッドを押すことによってトグルスイッチ及びロッカースイッチのうちの１つを動作させるための２ペアの半円形の切り欠きにより、前記二重の触覚ばねの各端部にある構造的に丸いヒンジのペアを支持するように構成され、
前記上下双方向への触知できる移動のそれぞれは、前記回転シーソーバーを傾け、前記少なくとも１つのキーの２つの対向する表面のうちの１つの指示された表面上での指によるプッシュによって、ポールコンタクトを第１のコンタクトから第２のコンタクトへ又はコンタクトなしの状態へそれぞれ切り替える
請求項１１に記載の方法。
【請求項１９】
前記支持ボックスは、インテリジェント支持ボックスであり、前記トグルスイッチ及びロッカースイッチのうちの１つは、前記インテリジェント支持ボックスに取り付けられ、前記インテリジェント支持ボックスは、指示される前記表面を変えて、前記トグルスイッチ及びロッカースイッチのうちの１つと、切り替えのための前記少なくとも１つのキーのアクティブ面とに接続される所与の負荷のステータスを示すデュアルインジケータとを含み、
前記インテリジェント支持ボックスは、前記デュアルインジケータについての前記アクティブ面を示すために前記インテリジェント支持ボックスに含まれる感知及びステータス識別センサよって提供される前記所与の負荷及び切り替え位置データに基づいて、ＣＰＵ及びメモリを介して動作する
請求項１８に記載の方法。
【請求項２０】
前記正方形の開口アクセス及び前記長方形の開口アクセスのうち少なくとも１つを含む前記成形された平坦なフレームの全体をカバーするサイズにされた単一の挿入物は、各々がインジケータによって識別される複数のタッチアイコンへの取り付けのために使用され、
前記成形された平坦なフレームをカバーして開口アクセスの隙間をなくす前記単一の挿入物の背面にある所与のスペースには、前記複数のタッチアイコン及び少なくとも１つのスイッチについての前記少なくとも１つのキーと同じような外観を提供するような印刷がされているか、又はカラーコーティングがされており、
成形された平坦なスクリーンが前記支持ボックスに取り付けられ、前記支持ボックスには、前記鋸歯状スタッドを介して前記複数のタッチアイコンが組み込まれており、平坦なパネルベースが、前記平坦なパネルベースのエッジに含まれる凹部とセルフロッキング凸部とを介してウォールボックスに、又は直接壁に取り付けられる
請求項１１に記載の方法。
【発明の詳細な説明】
【技術分野】
【０００１】
本発明は、スイッチと、リレーと、スイッチを動作させるキー（keys）を含むＡＣアウトレットと、を含む配線装置を支持する壁取付式電装用ボックスをカバーする装飾プレートに関連する。
【背景技術】
【０００２】
住宅、事務所、公共建築物、企業、ホテル、レストラン等における照明、湯沸器、空調装置、暖房器具並びに任意の他の電気機器及び電気器具などの電気器具をオン／オフにするために使用される装飾キーを含む、スイッチ、リレー及びＡＣアウトレットを囲む装飾プレート又は装飾フレームが、非常によく知られている。周知の装飾プレート、装飾パネル、装飾フレーム及び装飾キーカバーは、異なる色、形状及びサイズの様々なプラスチック材料で射出成形される。そのような装飾仕上げは安価であり、知られているカバー及びキーのほとんどは、白色又はオフホワイト色、例えば、明るいベージュ色などで射出成形されることが知られているが、異なる色相又は色合いでも入手可能である。
【０００３】
他の知られている装飾カバーは、プラスチックの射出成形されたベースキーと組み合わせて、着色ガラスフレームを組み合わせる。プラスチックの射出成形されたキーを備えた、そのような組み合わされたガラスカバー又はガラスフレームは高価であり、主にコストが理由で、新しく建築される建物においてはめったに使用されない。
【０００４】
建築家は、そのような装飾ガラスカバーを使用することを実に好むが、予算超過及び他の価格上の制約が理由で諦めてしまう。
【０００５】
より高いコストの主な理由は、ガラスフレーム又はクリスタルフレームの一般に提供されている正方形又は矩形の側面を切断し、研磨する加工費であるが、大抵は、より高いコストは、ＡＣアウトレット及びスイッチキーの各々又は組み合わせの内側の正方形又は矩形の開口部を切断することにある。
【０００６】
内側の切断部又は開口部は、Ｘ−Ｙテーブル移動によって制御される、回転式ダイヤモンドグラインダーによって加工されるが、内側切断部の４つの角は、グラインダーの直径に応じて、丸みを帯びたままとなる。直角として知られている、正確な直線の直交する角部を切断しようとする試みは、文字通りには不可能であり、又は、非常に薄いグラインダーを使用することによって、若しくは回転式ブレードを用いる複数の工程を介することによって、非常に高価になるであろう。
【０００７】
くっきりした直角の角部は、美観のために必要とされ、これは、丸みを帯びた内側角部を備えた切断開口部に対する、適正な９０°のエッジ及び角部を提供するために成形された装飾用の薄いプラスチックフレームの導入によって解決される。射出成形された正方形又は矩形のフレームは、アウトレット及び各キーを装飾的に囲んでいるが、膨れており、カバーの平面を損ねる。これは構造的な問題を引き起こす。
【０００８】
家庭又は企業施設のための送電網及び配線装置は、自動制御とは別様に構造化されており、手動制御（スイッチ）を介した電力は、電装用ウォールボックス内の一般に実装されているスイッチを介して供給され、ホームオートメーション電力は、電気キャビネット内に搭載されたリレーを通じて供給される。ウォールボックスから電気キャビネットまでの変化は、ＡＣ配線デバイス及び／又はＡＣ電線を含むウォールボックス内への低圧制御電線の導入を禁止する、厳しい規則、法律及び建築規準に起因する。
【０００９】
オートメーションリレーを介した主電気キャビネット又は副電気キャビネットからの電気供給は、キャビネット内のリレーを動作させ、又はオンにするための制御盤又はキーを必要とする。オートメーションリレーは、低圧直流電源によって動作させられ、バスラインを介して制御される。これは、一般に使用されている標準的なスイッチが、ＲＦ信号又は光信号を含む制御信号を伝搬させる制御キーに置換され、知られているトグル又はロッカーキーが、タッチパネル、タッチパッド又はキーパッドに置換される状態を生成する。
【００１０】
これは、装飾問題に関与する構造化された電気システムにおける根本的な基本的変化である。タッチパネル及びキーパッドは、全体的に平坦なものと知られており、タッチパッドに平坦なガラスプレートを使用しているものもある。そのような設計されたガラスパッドは、一様な仕上げ及び色合わせのためには問題となり、たとえパッドサイズが、標準的な配線装置のフレームサイズに等しく作製されることができたとしても、構造的な仕上げは満足いくものにならないであろう。
【００１１】
サイズ、色及び形状を共通にして作製されることができ、手動スイッチ、ハイブリッドスイッチ、電源アウトレット、タッチパッド、キーパッド全てを、整合した平坦な面、新規な構造的かつ電気的な配線デバイスにおいて満足いく組み合わせで含むことができる、より低コストのガラス装飾パネル及びキーを提供することは、有意義な利点となるであろう。
【００１２】
米国特許第７，６４９，７２７号明細書は、一般に使用されている単極双投（ＳＰＤＴ）スイッチ又は双極双投（ＤＰＤＴ）スイッチに接続されたＳＰＤＴリレーが、一般に実装されているスイッチを介して手動で、及びホームオートメーションコントローラを介して遠隔で、電気器具又は照明のスイッチを入れることを可能にする新しい概念を導入した。ＳＰＤＴスイッチ及びＤＰＤＴスイッチは、それぞれ２方向スイッチ又は４方向スイッチとしても知られている。
【００１３】
さらに、米国特許第７，６３９，９０７号明細書、米国特許第７，８６４，５００号明細書、米国特許第７，９７３，６４７号明細書、米国特許第８，０４１，２２１号明細書、米国特許第８，１４８，９２１号明細書、米国特許第８，１７０，７２２号明細書、米国特許第８，１７５，４６３号明細書、米国特許第８，２６９，３７６号明細書、米国特許第８，３３１，７９４号明細書、米国特許第８，３３１，７９５号明細書、米国特許第８，３４０，５２７号明細書、米国特許第８，３４４，６６８号明細書、米国特許第８，３８４，２４９号明細書、米国特許第８，４４１，８２４号明細書、米国特許第８，４４２，７９２号明細書、米国特許第８，７４２，８９２号明細書、米国特許第８，９３０，１５８号明細書、米国特許第９，０１８，８０３号明細書、米国特許第９，０３６，１５８号明細書、米国特許第９，２１９，３５８号明細書、米国特許第９，２５７，２５１号明細書及び米国特許第９，２８１，１４７号明細書は、ホームオートメーション制御、接続、スイッチ及びリレー、並びにアドオンデバイスを介して電気器具を動作させるためのアクセサリ、例えば、ＳＰＤＴリレー及びＤＰＤＴリレー又は電流ドレーンセンサ、機械的にラッチするリレーを介して動作させられるハイブリッドスイッチを介して負荷及び動作中の器具を識別するためのＲＦＩＤタグなどを公開している。
【００１４】
参照された米国特許第８，７４２，８９２号明細書、米国特許第８，９３０，１５８号明細書、米国特許第９，０１８，８０３号明細書、米国特許第９，０３６，１５８号明細書、米国特許第９，２１９，３５８号明細書、米国特許第９，２５７，２５１号明細書及び米国特許第９，２８１，１４７号明細書は、タッチスクリーン、プッシュスイッチ、ＡＣアウトレット、並びに上記のスイッチ及び電源アウトレットを支持するためのインテリジェントウォールボックスをさらに公開している。スイッチ、キー、プッシュ、ロッカー又はトグル、及びＡＣアウトレットを含むアセンブリ全体は、機械的なロックによって、及び／又はねじによって取り付けられ、装飾フレームによってカバーされることが周知であり、スイッチのキーは、中央開口を通って突出し、プッシュ又はトグル又はロッカーアクションによって動作させられる。
【００１５】
上に列挙した米国特許及び他の国々における多数の係属中の出願は、スイッチ及び／又は電源ソケットのアドオン又は組み合わせを開示しており、これら全てが、実質的に進化した住宅及び他の建物のオートメーションを教示している。しかし、ガラス若しくはクリスタルから作製された、又は他の装飾的な平坦に成形されたパネルによって作製された、低コストの装飾パネル及びキーを提供するための所与の構造又は方法は、全くと言って良いほど開示又は教示されておらず、構造的に改良されたパネル、フレーム及び操作キーが、施設の屋内においてより現代的な魅力のあるものとなる必要がある。
【発明の概要】
【００１６】
従って、本発明の主な目的は、透き通った又は着色された板ガラス若しくはクリスタルから作製された、又は、手動スイッチ、ハイブリッドスイッチ、統合スイッチリレーのためのキーの成形、並びにキーと同じ色合い若しくは色にするＡＣアウトレット及びソケットの成形を含めて、プラスチック材料に似た着色された透明なガラスを使用して成形された、装飾キー、装飾パネル及び装飾フレームを提供することである。「アウトレット」という用語は、低圧／通信ソケット及びコネクタを含み、各々が、現在使用されている機械的なＡＣスイッチ又はＡＣアウトレットに一致した、又はより小さいサイズの「取り付け可能なデバイス」になるように構築されており、「標準的なＡＣスイッチ又はＡＣアウトレット」として知られており、以下、そのように称される。
【００１７】
知られている標準的なスイッチは、「標準的な電装用ウォールボックス」、例えば、米国において知られている２×４インチ（５．０８ｃｍ×１０．１６ｃｍ）若しくは４×４インチ（１０．１６ｃｍ×１０．１６ｃｍ）のウォールボックス、又は６０ｍｍの丸いヨーロッパの電装用ウォールボックス、又はヨーロッパ、オーストラリア若しくは中国において使用されているような正方形若しくは矩形の電源ボックス、又は複数の所与のＡＣスイッチ及びＡＣアウトレット／ソケットのうちの１つを実装するための新しいサイズ及び構造の施設内に搭載される。
【００１８】
装飾パネルは、好適には、ルータ、プリンタ及び他のＰＣ周辺装置を接続するための、及び／又は、オーディオコネクタ、アンテナ若しくはパラボラアンテナ及び同様のものを介して接続される他の低圧装置を接続するための、知られているＲＪ−４５コネクタなどの通信コネクタのための装飾カバーをさらに含む。それによって、全ての「配線装置」、すなわち、施設内のＡＣ電源、ＰＣ及び周辺装置、オーディオ、テレビ、並びにこれらの組み合わせの仕上げ及び色を統一する。
【００１９】
「アウトレット」という用語は、以下及び特許請求の範囲において、ＡＣ電源アウトレット又はＤＣ電源アウトレット、ＰＣ及び周辺機器コネクタ、電話コネクタ、オーディオコネクタ、テレビアンテナ及びケーブルテレビコネクタ、並びに所与の壁取付式ソケット及びプラグに器具を接続するために使用される他のコネクタを指す。
【００２０】
「平坦なアウトレット面」という用語は、平坦なパネル面又はフレーム面全体と揃えられた、正方形又は矩形の前面を有するアウトレットを指す。
【００２１】
本発明の別の重要な実際的な目的は、米国特許第９，２１９，３５８号明細書において開示されている所与のインテリジェント支持ボックス内に実装される所与のハイブリッドスイッチ及び電源アウトレットに対して、より低コストの装飾パネル、装飾フレーム及び装飾キーカバーを提供することである。
【００２２】
「ハイブリッドスイッチ」という用語は、以下及び特許請求の範囲において、参照された米国特許において開示されている電気オートメーションシステムのために使用されるリレー／スイッチの組み合わせ及び機械的にラッチするリレーのうちの１つを指し、米国特許第８，７４２，８９２号明細書において開示されているようなタッチパネルを、同一の透き通った着色されたパネルとすることを含み、着色ガラス材料であれ、又は透明なプラスチック材料であれ、又はシルク印刷を用いた透明な材料及びその他の透き通った透明な材料から成る他の彩色された面であれ、接着面及びキーベース面に適合するサイズに合うように直角の正方形又は矩形に切断されたガラスシート及びクリスタルガラスシートに対して特に関心が払われる。
【００２３】
装飾挿入物又は装飾インサートという用語は、以下及び特許請求の範囲において、切断された又は成形された直角の装飾用の矩形のガラスシート若しくはクリスタルシート、及び／又はプラスチック材料、例えば、透き通った若しくは着色されたアクリル材料若しくはポリカーボネート材料などを使用して成形された挿入物を指す。
【００２４】
本発明によって達成される別の目的は、異なるキーレバー、例えば、平坦なプッシュキー及び平坦なロッカーキーなどが取り付けられ得る構造を有するハイブリッドスイッチを提供すること、並びに様々なスイッチ製造業者によって建築／電気業界で入手可能であり、通常導入されている、多様な設計及び色を含む、幅広い種類のレバー及び装飾カバー及びフレームサイズから任意のものを選択する自由を提供することである。
【００２５】
従って、「１つ又は複数の平坦なキー」又は「１つ又は複数の平坦なプッシュキー」という用語は、以下及び特許請求の範囲において、キー表面全体へのプッシュによって動作させられるハイブリッドスイッチの平坦なキー、及びプッシュキーの指定された／示された領域のプッシュによって動作させられる手動のトグルスイッチ又はロッカースイッチの１つ又は複数の平坦なキーを指す。
【００２６】
１つ又は複数の丸みを帯びたキーという用語は、周囲の成形されたフレームの丸みに審美的に適合する丸みを帯びた表面を有する、成形されたキー構造を指す。
【００２７】
審美的とは、丸みが審美的な特色であり、寸法的なものではないことを述べるために強調されている。
【００２８】
従って、本発明は、インテリジェント支持ボックスの装飾プレートを著しく改良することを提供し、そのような広い範囲で入手可能なＡＣスイッチ設計、ＡＣアウトレット設計、それらのパネル色及び装飾と一致させるために経験される困難を、きれいで現代的な平坦なプレート設計によって解決する。
【００２９】
ＡＣ器具及び照明設備用の３つのタイプのスイッチが一般に使用されている、単極単投（ＳＰＳＴ）スイッチ及び単極双投（ＳＰＤＴ）スイッチなど。ＳＰＳＴスイッチは、基本的なオン／オフスイッチであり、ＳＰＤＴは、２方向スイッチとしても知られている切換スイッチである。ＳＰＤＴスイッチは、例えば、同じホール又は部屋の２つの入口などの、２つの別個の壁又は場所からの照明設備などの、所与の器具のオン／オフスイッチングのために使用される。
【００３０】
所与のホール又は部屋の同じ照明設備をスイッチオン／スイッチオフするために、３つ以上のスイッチが必要とされる場合には、別のタイプの双極双投（ＤＰＤＴ）スイッチが使用される。ＤＰＤＴスイッチ又は複数のスイッチは、上述した２つのＳＰＤＴスイッチの間で、所与のストレート／クロス構成で接続される。ＤＰＤＴスイッチは、「４方向」スイッチ、又は「クロス／ストレート」スイッチ、又は「反転」スイッチとしても知られている。
【００３１】
連続的なトラベラー構成で接続された、１つ又は複数の反転スイッチ又はクロス／ストレートＤＰＤＴスイッチを含む、２つのＳＰＤＴスイッチは、個々のスイッチが、その他のスイッチのステータスにかかわらず、単独で動作することを提供することは周知である。
【００３２】
従って、そのようなＳＰＤＴ及び／又はＤＰＤＴセットアップ構成で接続されているスイッチのいずれも、その他の接続されたスイッチのステータスに関係なく、照明設備をスイッチオンし、スイッチオフするであろう。これは、接続されたスイッチ又はそれらのレバーのいずれについても、特定のオン位置又はオフ位置が存在せず、スイッチオン又はスイッチオフは、スイッチレバーをその反対位置へ押すことによって達成されることをさらに意味し、プッシュオン−プッシュオフキーによって操作することが好適であろう。
【００３３】
従って、本発明の目的は、キーのプッシュ位置にかかわらず、ハイブリッドスイッチのキーがプッシュオン／プッシュオフされるべきものであることを識別するインジケータを有する装飾パネル及び装飾キーを提供すること、及びロッカーキー又はトグルキーのプッシュ位置を示すことであり、これらの全ては、停止位置にある間に、フレーム又はパネル又はパッドの表面と平坦なままである。
【００３４】
本発明の別の目的は、手動のＳＰＤＴスイッチに接続されている、及び、全てが同じ平坦なキー表面を使用し、スイッチの各々の装飾カバーと平坦な、２つのＳＰＤＴスイッチ及び１つ又は複数のＤＰＤＴスイッチを含む、より包括的なスイッチングセットアップに接続されている、照明設備又は他の電気器具を遠隔でスイッチオン／オフするためのＤＰＤＴリレーを接続することを提供することである。
【００３５】
米国特許第８，２６９，３７６号明細書において開示されているように、誤りのない先行技術のホームオートメーション電気システムのカスケード接続された又はチェーン接続されたＳＰＤＴスイッチ及びＤＰＤＴスイッチの操作は、正確な制御コマンドを提供するために、照明設備などの器具のオン／オフステータスを識別しなければならず、コントローラへ送信される所与の回路に関係する、そのようなデータは、電流ドレーン、電力消費又はステータス感知データを含まなければならない。
【００３６】
この理由から、本発明の別の重要な目的は、いつ器具がスイッチオンされ、インジケータによって指示されるようにキープレートのプッシュによってキーの各々を動作させるかを識別するための、各ハイブリッドスイッチ及びＡＣアウトレットについての個々のＡＣ電流センサの導入である。
【００３７】
別の目的は、オンからオフ及びオフからオンへステータスを反転させるためにプッシュするためのステータス及び表面を示す、インジケータによって案内される、上面若しくは下面であれ、又は左面及び右面であれ、キーの１つの表面をプッシュすることによって、平坦なキーの対向する表面を通じた、キー表面又はトグル／ロッカー動作中のどこかで、プッシュ／プッシュ動作と形状及びサイズが同一であるキーを識別することである。
【００３８】
ホームオートメーションコントローラを介して遠隔で制御される照明器具を含むキー（器具）のステータスは、手動スイッチであれ、ハイブリッドスイッチであれ、コンビネーションスイッチ及び／又はキーなしのリレーであれ、キーインジケータが同一のステータスを示すことを要求する。インジケータは、カスケードされたＳＰＤＴスイッチ及びＤＰＤＴスイッチの全てのキーについて同一のステータスを示さなければならず、手動スイッチ及びハイブリッドスイッチ又はコンビネーションスイッチは、共通のステータス（オン又はオフ）を示すように同時に制御される必要があり、、つのキー又はリレーのスイッチに対して、カスケードされたチェーン内の全てのスイッチの標識を確保すれば十分である。
【００３９】
以下、ホームオートメーションコントローラへの言及は、上で参照された出願及び米国特許において開示されている、ビデオインターフォン及び／又はショッピング端末と同様の、制御キー、タッチアイコン又はタッチスクリーン及び回路を有するディスプレイ装置への言及である。
【００４０】
「ハイブリッドスイッチ」という用語は、以下及び特許請求の範囲において、支持ボックス内への挿入のために構築され、本発明の好適な実施形態のプッシュ平坦キーによって手動で操作され、本発明のプッシュ平坦キーを介して操作される、先行技術の任意の他の機械的に動作させられるＳＰＳＴスイッチ、ＳＰＤＴスイッチ又はＤＰＤＴスイッチを含む、ＳＰＳＴラッチングリレー、ＳＰＤＴリレー、ＤＰＤＴリレー、ＤＰＤＴ反転リレー及びＳＰＤＴスイッチ、ＤＰＤＴスイッチ及び反転ＤＰＤＴスイッチから成る群から選択される、「スイッチとリレーとのハイブリッド組み合わせ」、「手動スイッチ」、又は「リレー」を指す。
【００４１】
「ＳＰＳＴハイブリッドスイッチ」という用語は、所与の負荷を手動及び遠隔で動作させるためのスタンドアロンのスイッチング装置を指す。
【００４２】
「ＤＰＤＴハイブリッドスイッチ」という用語は、双極を有するスタンドアロンのスイッチング装置を指す。これは、例えば、浴室又は洗濯領域などの、濡れた環境又は湿った環境において、一方の極がライブＡＣを供給し、他方の極がニュートラルＡＣを供給する、２つの極を手動及び遠隔で切り替えるために、負荷を動作させるために使用される。
【００４３】
「反転ハイブリッドスイッチ」、「交差ハイブリッドスイッチ」及び「反転ＤＰＤＴハイブリッドスイッチ」という用語は、反転ハイブリッドスイッチを介して、及び少なくとも１つの手動ＳＰＤＴスイッチを介して、及び／又は、デュアルトラベラーラインのカスケードされたチェーン内に全てが接続された、中間のｎ個のＤＰＤＴ手動スイッチを介して、スイッチオン／オフされる所与の負荷のためのスイッチング装置を指し、接続されたスイッチの各々は、所与の負荷を動作させ、又はこれをスイッチオン／オフすることができ、スイッチインジケータ／リレーインジケータの全ては、同時に制御されるであろう。
【００４４】
本発明の主な目的は、光送受信機、ＲＦＩＤアンテナ又は関連付けられたＲＦＩＤアンテナを含む補完プラグと共に、光送受信機と、光信号又はＲＦＩＤ信号を通信するためのＲＦＩＤアンテナと、のうちの少なくとも１つを備える、米国特許第９，２１９，３５８号明細書において開示されているインテリジェン支持ボックスの対向する補完構造内に、ハイブリッドスイッチの開示された自動ロック構造と同様のプラグイン装置となるように構築されたＡＣアウトレットに対する装飾カバーを導入することである。
【００４５】
光送受信機及び／又はＲＦＩＤアンテナ及び／又は識別設定セレクタは、本発明のインテリジェント支持ボックスの内側カバーの適合突出構造（fit protruding structure）を介して、構築されたプラグインＡＣアウトレットの開口部又はキャビティ内へ導入され、これは、好適な実施形態の説明においてさらに解説される。
【００４６】
キーの「弾性のある要素」又は触覚要素という用語は、米国特許第８，９３０，１５８号明細書、米国特許第９，０１８，８０３号明細書、米国特許第９，０３６，３２０号明細書、米国特許第９，２１９，３５８号明細書及び米国特許第９，２８１，１４７号明細書において記載されているような、屈曲するばね及び／又は曲がる（「バンピングする」）ばね、又はばね状のアクションを提供する構造の成形部分、又はばねを備え、若しくはばねによって駆動されるキー、又はばね状の要素の成形構造、並びにスイッチ及び／又はハイブリッドスイッチの、及び／又はラッチングリレーのキーに関連付けられたばね又は構造の任意の組み合わせを指す。
【００４７】
「ピン」という用語は、以下及び特許請求の範囲において、例えば、８ピンプラグソケットといった、コネクタなどに一般に関連付けられたコネクタピンを指す。以下で言及されるピンは、平坦な形状、丸い形状、若しくは任意の他の形状、又は支持ボックスをアウトレット及びスイッチなどの配線装置に対して接合するための構造を有する低電流ピン又は高電流ピンに及ぶ。
【００４８】
「接合部」或いはジョイントとは、以下及び特許請求の範囲において、ＡＣ配線デバイスを支持ボックスに相互接続するための、補完ピン又は相互ピンとレセプタクル又はソケットとを一緒に接続する、ピン及びソケット又はレセプタクルを指す。
【図面の簡単な説明】
【００４９】
本発明の前述の目的及び他の目的並びに特徴は、添付の図面に関連して、本発明の好適な実施形態の下記の説明から、明らかになるであろう。
【図１Ａ】参照された米国特許及び周知のガラスカバーによって開示されているような従来技術の配線装置、装飾カバー及びキーの取り付け及び組立を示す、従来技術の斜視図である。
【図１Ｂ】参照された米国特許及び周知のガラスカバーによって開示されているような従来技術の配線装置、装飾カバー及びキーの取り付け及び組立を示す、従来技術の斜視図である。
【図１Ｃ】参照された米国特許及び周知のガラスカバーによって開示されているような従来技術の配線装置、装飾カバー及びキーの取り付け及び組立を示す、従来技術の斜視図である。
【図１Ｄ】参照された米国特許及び周知のガラスカバーによって開示されているような従来技術の配線装置、装飾カバー及びキーの取り付け及び組立を示す、従来技術の斜視図である。
【図２Ａ】本発明の好適な実施形態の電力アウトレット、デュアルＳＰＳＴハイブリッドスイッチ、及びＳＰＤＴ又はＤＰＤＴ手動及びハイブリッドスイッチの組み合わせが取り付けられた、デュアルギャング支持ボックスの要素の分解斜視図である。
【図２Ｂ】本発明の好適な実施形態の電力アウトレット、デュアルＳＰＳＴハイブリッドスイッチ、及びＳＰＤＴ又はＤＰＤＴ手動及びハイブリッドスイッチの組み合わせが取り付けられた、デュアルギャング支持ボックスの要素の分解斜視図である。
【図２Ｃ】本発明の好適な実施形態の電力アウトレット、デュアルＳＰＳＴハイブリッドスイッチ、及びＳＰＤＴ又はＤＰＤＴ手動及びハイブリッドスイッチの組み合わせが取り付けられた、デュアルギャング支持ボックスの要素の分解斜視図である。
【図２Ｄ】キー及びフレームのための、特定のより広いサイズのカットシート装飾ガラスを使用する斜視図である。
【図２Ｅ】キー及びフレームのための、特定のより広いサイズのカットシート装飾ガラスを使用する斜視図である。
【図３Ａ】本発明の様々なハイブリッドスイッチ及びＡＣアウトレットの背面図である。
【図３Ｂ】装飾カバー及びキーの詳細なガラス要素を含む、本発明の好適な実施形態のスイッチ／リレー、又はハイブリッドラッチングスイッチの３つのハイブリッド組み合わせの要素及び組立の分解斜視図である。
【図３Ｃ】装飾カバー及びキーの詳細なガラス要素を含む、本発明の好適な実施形態のスイッチ／リレー、又はハイブリッドラッチングスイッチの３つのハイブリッド組み合わせの要素及び組立の図である。
【図４Ａ】ハイブリッドスイッチ及びＡＣアウトレットを、装飾カバー及びキーの要素を含む３つのギャング支持ボックス内に組み立てるための要素を示す分解斜視図である。
【図４Ｂ】ハイブリッドスイッチ及びＡＣアウトレットを、装飾カバー及びキーの要素を含む３つのギャング支持ボックス内に組み立てるための要素を示す図である。
【図４Ｃ】先行技術のＡＣ電源プラグに対するＲＦＩＤタグの取り付けを含む、ＡＣ電源プラグとＡＣアウトレットとの間の光学データ及びＲＦＩＤ信号のリンクを示す斜視図である。
【図４Ｄ】先行技術のＡＣ電源プラグに対するＲＦＩＤタグの取り付けを含む、ＡＣ電源プラグとＡＣアウトレットとの間の光学データ及びＲＦＩＤ信号のリンクを示す斜視図である。
【図５Ａ】装飾プラスチック成形フレーム及びキーによってカバーされたアセンブリを備える配線のためのプッシュインアクセスを含む、ＳＰＤＴ及びＤＰＤＴハイブリッドスイッチのカスケードされたチェーン、メカニカルスイッチ又は本発明のスイッチ／リレー組み合わせのための、本発明のインテリジェントボックス内へ、３つのＳＰＤＴハイブリッド及び手動スイッチを組み立てることを示す分解斜視図である。
【図５Ｂ】装飾プラスチック成形フレーム及びキーによってカバーされたアセンブリを備える配線のためのプッシュインアクセスを含む、ＳＰＤＴ及びＤＰＤＴハイブリッドスイッチのカスケードされたチェーン、メカニカルスイッチ又は本発明のスイッチ／リレー組み合わせのための、本発明のインテリジェントボックス内へ、３つのＳＰＤＴハイブリッド及び手動スイッチを組み立てることを示す分解斜視図である。
【図５Ｃ】装飾プラスチック成形フレーム及びキーによってカバーされたアセンブリを備える配線のためのプッシュインアクセスを含む、ＳＰＤＴ及びＤＰＤＴハイブリッドスイッチのカスケードされたチェーン、メカニカルスイッチ又は本発明のスイッチ／リレー組み合わせのための、本発明のインテリジェントボックス内へ、３つのＳＰＤＴハイブリッド及び手動スイッチを組み立てることを示す分解斜視図である。
【図６Ａ】本発明の好適な実施形態の４つのギャング支持ボックスの拡張された装飾カバー及びキーの多用途性を示す斜視図である。
【図６Ｂ】本発明の好適な実施形態の４つのギャング支持ボックスの拡張された装飾カバー及びキーの多用途性を示す斜視図である。
【図７Ａ】成形プラスチック及びカットガラスフレーム及びキーによってカバーされた同一サイズのケーシング内の、世界の様々な国々又は地域において使用されるようなあらゆる範囲のＡＣアウトレットを支持するための、本発明の６ギャング支持ボックス及びインテリジェントボックスの非限定的な多用途性、並びにＲＦＩＤタグ及び光学アクセスの導入を示す斜視図である。
【図７Ｂ】成形プラスチック及びカットガラスフレーム及びキーによってカバーされた同一サイズのケーシング内の、世界の様々な国々又は地域において使用されるようなあらゆる範囲のＡＣアウトレットを支持するための、本発明の６ギャング支持ボックス及びインテリジェントボックスの非限定的な多用途性、並びにＲＦＩＤタグ及び光学アクセスの導入を示す斜視図である。
【図７Ｃ】成形プラスチック及びカットガラスフレーム及びキーによってカバーされた同一サイズのケーシング内の、世界の様々な国々又は地域において使用されるようなあらゆる範囲のＡＣアウトレットを支持するための、本発明の６ギャング支持ボックス及びインテリジェントボックスの非限定的な多用途性、並びにＲＦＩＤタグ及び光学アクセスの導入を示す斜視図である。
【図８Ａ】成形プラスチック及びカットガラスフレーム及びキーによってカバーされた同一サイズのケーシング内の、世界の様々な国々又は地域において使用されるようなあらゆる範囲のＡＣアウトレットを支持するための本発明のインテリジェントボックスの非限定的な多用途性を有する８ギャング支持ボックス、並びにＲＦＩＤタグ及び光学アクセスの導入を示す斜視図及び例示である。
【図８Ｂ】成形プラスチック及びカットガラスフレーム及びキーによってカバーされた同一サイズのケーシング内の、世界の様々な国々又は地域において使用されるようなあらゆる範囲のＡＣアウトレットを支持するための本発明のインテリジェントボックスの非限定的な多用途性を有する８ギャング支持ボックス、並びにＲＦＩＤタグ及び光学アクセスの導入を示す斜視図及び例示である。
【図８Ｃ】成形プラスチック及びカットガラスフレーム及びキーによってカバーされた同一サイズのケーシング内の、世界の様々な国々又は地域において使用されるようなあらゆる範囲のＡＣアウトレットを支持するための本発明のインテリジェントボックスの非限定的な多用途性を有する８ギャング支持ボックス、並びにＲＦＩＤタグ及び光学アクセスの導入を示す斜視図及び例示である。
【図９】垂直なコラムボックス内に取り付けるために構築された、図２Ｂ、図４Ａ、図４Ｂ及び図６Ａ〜図９に示される変更された電源アウトレットを支持するための垂直に取り付けられ得る様々な支持ボックス、及び３ギャング支持ボックスのための典型的な壁ボックスの例を示す斜視図である。
【図１０Ａ】図２Ａ〜図９に示されるスイッチ及びアウトレットのアセンブリとサイズ及び形状において同一になるように構築されたタッチ画面の分解図及び例示である。
【図１０Ｂ】図２Ａ〜図９に示されるスイッチ及びアウトレットのアセンブリとサイズ及び形状において同一になるように構築されたタッチ画面の分解図及び例示である。
【図１０Ｃ】図２Ａ〜図９に示されるスイッチ及びアウトレットのアセンブリとサイズ及び形状において同一になるように構築されたタッチ画面の分解図及び例示である。
【図１０Ｄ】図２Ａ〜図９に示されるスイッチ及びアウトレットのアセンブリとサイズ及び形状において同一になるように構築されたタッチ画面の分解図及び例示である。
【図１０Ｅ】本発明の装飾カバーと隣り合わせの実装に適合するような１６個のタッチアイコンを有する組み立てられたタッチ画面を示す図である。
【図１０Ｆ】本発明の装飾カバーと隣り合わせの実装に適合するような１６個のタッチアイコンを有する組み立てられたタッチ画面を示す図である。
【図１１Ａ】ユーザによって採用され、及び／又はインプリントされるべき、本発明の装飾モチーフ、画像及びタッチアイコン名と共に、接触位置をカバーし、示すための自己インプリントされた接着剤ラベルの斜視図である。
【図１１Ｂ】ユーザによって採用され、及び／又はインプリントされるべき、本発明の装飾モチーフ、画像及びタッチアイコン名と共に、接触位置をカバーし、示すための自己インプリントされた接着剤ラベルの斜視図である。
【図１２Ａ】その中心、左端、右端においてリリース、プッシュされるプッシュキーのキーアクションばねの断面図である。
【図１２Ｂ】その中心、左端、右端においてリリース、プッシュされるプッシュキーのキーアクションばねの断面図である。
【図１２Ｃ】その中心、左端、右端においてリリース、プッシュされるプッシュキーのキーアクションばねの断面図である。
【図１２Ｄ】その中心、左端、右端においてリリース、プッシュされるプッシュキーのキーアクションばねの断面図である。
【図１２Ｅ】本発明の好適な実施形態のプッシュ／プッシュハイブリッドスイッチアセンブリのキーばね及び構造の詳細を示す分解図である。
【図１２Ｆ】本発明の好適な実施形態のプッシュ／プッシュハイブリッドスイッチアセンブリのキーばね及び構造の詳細を示す分解図である。
【図１２Ｇ】本発明の好適な実施形態のプッシュ／プッシュハイブリッドスイッチアセンブリのキーばね及び構造の詳細を示す斜視図である。
【図１３Ａ】本発明の好適な実施形態の、プッシュしてロック及びラッチすることによって、並びにプッシュしてリリースすることによって動作させられるような、図１２Ａ〜図１２Ｄに示されるハイブリッドスイッチのキーばねのアクションステップを例示する図である。
【図１３Ｂ】本発明の好適な実施形態の、プッシュしてロック及びラッチすることによって、並びにプッシュしてリリースすることによって動作させられるような、図１２Ａ〜図１２Ｄに示されるハイブリッドスイッチのキーばねのアクションステップを例示する図である。
【図１３Ｃ】本発明の好適な実施形態の、プッシュしてロック及びラッチすることによって、並びにプッシュしてリリースすることによって動作させられるような、図１２Ａ〜図１２Ｄに示されるハイブリッドスイッチのキーばねのアクションステップを例示する図である。
【図１３Ｄ】本発明の好適な実施形態の、プッシュしてロック及びラッチすることによって、並びにプッシュしてリリースすることによって動作させられるような、図１２Ａ〜図１２Ｄに示されるハイブリッドスイッチのキーばねのアクションステップを例示する図である。
【図１３Ｅ】本発明の好適な実施形態の、プッシュしてロック及びラッチすることによって、並びにプッシュしてリリースすることによって動作させられるような、図１２Ａ〜図１２Ｄに示されるハイブリッドスイッチのキーばねのアクションステップを例示する図である。
【図１３Ｆ】本発明の好適な実施形態の、プッシュしてロック及びラッチすることによって、並びにプッシュしてリリースすることによって動作させられるような、図１２Ａ〜図１２Ｄに示されるハイブリッドスイッチのキーばねのアクションステップを例示する図である。
【図１３Ｇ】本発明の好適な実施形態の、プッシュしてロック及びラッチすることによって、並びにプッシュしてリリースすることによって動作させられるような、図１２Ａ〜図１２Ｄに示されるハイブリッドスイッチのキーばねのアクションステップを例示する図である。
【図１４Ａ】本発明の平坦なガラスキーを介した機械的に作動されるスイッチのキーばねアクションの動作ステップ及び斜視図、並びにそれらのアセンブリの分解図を示した図面である。
【図１４Ｂ】本発明の平坦なガラスキーを介した機械的に作動されるスイッチのキーばねアクションの動作ステップ及び斜視図、並びにそれらのアセンブリの分解図を示した図面である。
【図１４Ｃ】本発明の平坦なガラスキーを介した機械的に作動されるスイッチのキーばねアクションの動作ステップ及び斜視図、並びにそれらのアセンブリの分解図を示した図面である。
【図１４Ｄ】本発明の平坦なガラスキーを介した機械的に作動されるスイッチのキーばねアクションの動作ステップ及び斜視図、並びにそれらのアセンブリの分解図を示した図面である。
【図１４Ｅ】本発明の平坦なガラスキーを介した機械的に作動されるスイッチのキーばねアクションの動作ステップ及び斜視図、並びにそれらのアセンブリの分解図を示した図面である。
【図１４Ｆ】本発明の平坦なガラスキーを介した機械的に作動されるスイッチのキーばねアクションの動作ステップ及び斜視図、並びにそれらのアセンブリの分解図を示した図面である。
【図１４Ｇ】本発明の平坦なガラスキーを介した機械的に作動されるスイッチのキーばねアクションの動作ステップ及び斜視図、並びにそれらのアセンブリの分解図を示した図面である。
【図１５Ａ】装飾カバー及び本発明の支持ボックス上への取り付けの詳細の斜視図である。
【図１５Ｂ】装飾カバー及び本発明の支持ボックス上への取り付けの詳細の斜視図である。
【図１５Ｃ】装飾カバー及び本発明の支持ボックス上への取り付けの詳細の斜視図である。
【図１５Ｄ】装飾カバー及び本発明の支持ボックス上への取り付けの詳細の斜視図である。
【図１６Ａ】同一の厚さ及び取り付けプロセスを有し、それによって、ユーザによるキー及びカバーの自己置換を可能にする、ベースキー及び装飾カバーに取り付けるためのガラス及びプラスチック成形キーの側面図である。
【図１６Ｂ】同一の厚さ及び取り付けプロセスを有し、それによって、ユーザによるキー及びカバーの自己置換を可能にする、ベースキー及び装飾カバーに取り付けるためのガラス及びプラスチック成形キーの側面図である。
【図１６Ｃ】同一の厚さ及び取り付けプロセスを有し、それによって、ユーザによるキー及びカバーの自己置換を可能にする、ベースキー及び装飾カバーに取り付けるためのガラス及びプラスチック成形キーの側面図である。
【図１６Ｄ】同一の厚さ及び取り付けプロセスを有し、それによって、ユーザによるキー及びカバーの自己置換を可能にする、ベースキー及び装飾カバーに取り付けるためのガラス及びプラスチック成形キーの側面図である。
【図１７】本発明のキーインジケータの動作並びにＡＣアウトレットのＲＦＩＤアクセス及び光学アクセスを強調した、米国特許第９，２１９，３５８号明細書のインテリジェント支持ボックスの回路を示す簡略化された電気ブロック図である。
【発明を実施するための形態】
【００５０】
図１Ａ〜図１Ｄは、図１Ａ及び図１Ｂの支持フレーム、配線及び装飾フレーム又はカバーを含む、ヨーロッパ並びに他の多くの国々及び地域において使用されているような、既存の先行技術の電装用ウォールボックスを示す。図１Ｄは、支持フレームと正面ガラスカバーとから構成される装飾カバーをさらに示す。図１Ａ〜図１Ｃは、先行技術のスイッチ及び電源アウトレットの「それほど単純でない」実装を示す。
【００５１】
図１Ａ〜図１Ｃに図示されているオートメーション装置及びリレーは、列挙された米国特許第７，６３９，９０７号明細書、米国特許第７，６４９，７２７号明細書、米国特許第７，８６４，５００号明細書、米国特許第７，９７３，６４７号明細書、米国特許第８，０４１，２２１号明細書、米国特許第８，１４８，９２１号明細書、米国特許第８，１７０，７２２号明細書、米国特許第８，１７５，４６３号明細書、米国特許第８，２６９，３７６号明細書、米国特許第８，３３１，７９４号明細書、米国特許第８，３３１，７９５号明細書、米国特許第８，３４０，５２７号明細書、米国特許第８，３４４，６６８号明細書、米国特許第８，３８４，２４９号明細書、米国特許第８，４４２，７９２号明細書、米国特許第８，５９４，９６５号明細書、米国特許第８，６３８，０８７号明細書、米国特許第８，６３９，４６５号明細書、米国特許第８，９３０，１５８号明細書、米国特許第９，２８１，１４７号明細書、並びに他の国々及び地域における対応する特許及び係属中の特許において開示されている。
【００５２】
上に記載された特許によって開示されている、ＳＰＤＴスイッチ及びＤＰＤＴスイッチを含む先行技術の電源アウトレットは、ＡＣアウトレットを通じて消費された電力を測定し、計算し、報告し、所与の負荷又は器具によって回路を切り替えるためのインテリジェント回路をさらに開示する。
【００５３】
上に列挙された特許における、記載されたＳＰＤＴスイッチ又はＤＰＤＴスイッチは、ＳＰＤＴリレーに接続され、リレーを介して負荷を動作させるために、及び接続された負荷又は器具によって消費される電流ドレーン又は電力を報告するために、リレー制御及び通信回路を各々備える。
【００５４】
電力消費の制御及び報告のための通信回路は、光ファイバーケーブル又は光導波路を介した光学的なもの、ＲＦ、視線上にあるＩＲ及びバスラインを介した電気信号を含む群から選択される。
【００５５】
先行技術の制御、コマンド及び通信は、図１Ａ及び図１Ｃにおいて、カスケード光導波路を介して伝搬される光信号として示されている。光導波路という用語は、ＰＯＦ（Ｐｌａｓｔｉｃ  Ｏｐｔｉｃａｌ  Ｆｉｂｅｒ）としても知られているプラスチック光ファイバーケーブルに対して使用される用語であるが、他の光ファイバーケーブル、及びコマンド信号変換器を介した低電圧バスライン制御信号を含む、ＩＲ信号及びＲＦ信号が、先行技術の制御及び通信に使用されてもよい。
【００５６】
先行技術の支持フレーム（図１Ａ〜図１Ｃの符号２０Ｆ）は、実際に、単純なロック構造留め具による、標準的なオン／オフ（ＳＰＳＴ）単極単投若しくは双方向（ＳＰＤＴ）単極双投、又はＡＣアウトレットを含む、クロスストレート（ＤＰＤＴ）双極双投（反転としても知られている）ＡＣ電源スイッチを実装するためにヨーロッパにおいて使用されているような標準的な支持フレームである。スイッチ及びソケットの配線は、図１Ａ及び図１Ｃにおいて、大がかりで、時間がかかり、実装者によって誤りが生じやすいものとして示されている。
【００５７】
配線を減らし、電気オートメーショングリッドを導入するための解決策は、インテリジェント支持ボックスについては米国特許第９，２１９，３５８号明細書において開示されており、あらゆる範囲のハイブリッドスイッチは米国特許第９，０１８，８０３号明細書、米国特許第９，０３６，３２０号明細書及び米国特許第９，２８１，１４７号明細書において開示されている。
【００５８】
図１Ａ〜図１Ｄの図示された先行技術は、それらの機械的構造及び接続構造においても、インテリジェント支持ボックス、ハイブリッドスイッチ及び報告アウトレットの新規な導入とは大きく異なる。
【００５９】
概念的に類似している唯一の項目は、図１Ａ及び図１Ｂに示される装飾フレーム並びに図１Ｄに示されるガラスフレームであり、これは、周知の装飾カバーも示している。ガラスカバーは、審美的に満足のいくものであるが、高価であり、コスト及び予算上の制限が理由で、新しい建物においてはめったに使用されない。発明の概要において上で解説されたように、内側の切断部をカバーするための図示されたプラスチックフレームに起因する、コスト及び欠点のある美観が、平坦で満足のいく壁取付式の装置のその他の面では望ましい意匠の制限された使用の主な理由である。
【００６０】
図２Ａは、２つの電気ハイブリッドスイッチＨＩを収容するための支持ボックス２０Ａを示しており、各々が、ハイブリッドスイッチＨ１が案内部１５及びくぼみ案内部３５を介してボックス２０Ａ内の所定の位置へ挿入される場合に、図示された凹部又はくぼみ３５を介してスイッチを所定の位置に案内するための案内部１５、自動ロック式の凸部１４、及び支持ボックスのロッキングアーム３４によって各スイッチをロックするためのボディーストッパ１６を備える。支持ボックス２０Ｂは、先行技術の図１Ｄの図示されたアウトレット及びフレームに対する置換ボックスとなるようなサイズにされている。
【００６１】
図２Ｂに示されるボックス２０Ｂは、２ギャングのヨーロッパの電装用ウォールボックス内に取り付けられるようなサイズにされているが、知られている４”×２”（１０．１６ｃｍ×５．０８ｃｍ）の標準的な米国のウォールボックスに取り付けられ、図２Ａの取り付け孔３２を介してねじによって取り付けられてもよい。
【００６２】
図２Ｃに示されるその他の支持ボックス２０Ｄは、米国における２ギャングの正方形の電装用ウォールボックス、若しくは４”×２”（１０．１６ｃｍ×５．０８ｃｍ）などの長方形のウォールボックス、又はヨーロッパにおいて使用される６０ｍｍの丸いボックス（図示せず）などの中にも取り付けられる。様々な長さ、幅及び奥行きを有する他の多くのウォールボックスが入手可能である。２ギャング支持ボックス２０Ａのサイズに適合する６０ｍｍの丸いウォールボックスを含む、あらゆる様々な知られているウォールボックスは、標準的であり、低コストで一般に入手可能である。
【００６３】
図１Ａ及び図１Ｂに示される周囲支持フレーム２０Ｆは、下記でさらに論じられる３ギャング及び４ギャングのウォールボックスへの取り付けのために設計されている。本支持ボックスのプラスチック成形フレームは、図示されたハイブリッドスイッチＨ１、Ｈ２、Ｈ３及びＨ４並びに図示された電源アウトレット２０ＵＳ、２０ＥＰを有する様々なウォールボックスへの取り付けのために同様に設計されており、他のアウトレットは、図２Ａから図９において９０°としても知られている直角を有するアクセス内側フレームとして示されている正方形の開口アクセス部２０−ＯＡ及び長方形の開口アクセス部３０−ＯＡ〜８０−ＯＡを通じてアクセスされ、下記でさらに十分に論じられる。
【００６４】
装飾カバーは、図２Ａの支持ボックスのフレームの４つの角部に示された、支持ボックスのフレーム３１の４つのロッキングソケット又はレセプタクル３３（１−４）を通じて、並びに図１５Ａ及び図１５Ｄのラッチングチップ３４Ａ及び相互スタッド３３Ａ−１から３３Ａ−８を通じて挿入される、図１５Ａ〜図１５Ｄの装飾カバーの自動ロック式の鋸歯状スタッド又は自動ロック３３Ａによって、壁面と平坦になるように調整可能である。
【００６５】
図３Ａの支持ボックス３０Ａの図示されたフレーム３１は、３ギャング支持ボックスのフレームであり、これは、照明のために使用されるメカニカルスイッチ及びリレーとなる図１Ａ〜図１Ｃにおいて知られている配線装置、並びに一般に使用されている電源アウトレットをロックするための周知であって一般に使用されている支持フレーム２０Ｆに類似しており、全てが、それらの後部又は側部において、図１Ａ〜図１Ｃの先行技術に示されている、ねじ又は自動ロック式の電気端子を介して電源配線に接続されている。
【００６６】
本発明のキー及びフレームは、下記に開示される一般的なメカニカルスイッチと共に使用するためにも構築されているので、本発明の他の目的は、欠点のない及び／又は突出するキーを有しない平坦なパネルと共に使用するための平坦なトグル又はプッシュキーを含めるように、一般に使用されているロッカー又はトグル手動スイッチとは明確に相違する構築された新規のキーを再設計することである。
【００６７】
従って、図２Ａ〜図２Ｃの例示された支持ボックスと図１Ａ〜図１Ｃの先行技術の支持フレームとの間の明らかな相違点の１つは、図１４Ａ〜図１４Ｇに示される手動スイッチを含む、図２Ｄに示される、自動ロック式のハイブリッドスイッチ及びアウトレットのための全てのピン、レセプタクル及び端子を含む、支持ボックスの背面部又は後部である。
【００６８】
その他の相違点は、米国特許第９，２１９，３５８号明細書において開示されている、支持ボックス２０Ａ又は２０Ｂ内への単純挿入による自動ロック式のアクションのための準備ができている、周知の配線端子を有しないものとして図２Ｂ〜図２Ｄにおいて示され、構成が図２Ｄに示されたハイブリッドスイッチ及び電源アウトレットの背面及び構造である。
【００６９】
ハイブリッドスイッチＨ１（ＳＰＳＴ）、Ｈ２（ＳＰＤＴ）、Ｈ３（ＤＰＳＴ）及びＨ４（反転ＤＰＤＴ）は、図２Ｄにおいて、ライブラインピン１８、負荷ピン１９、コイルピンＣ１及び支持ボックスのＬＥＤによって出射された多色光を通過させるためのキーインジケータアクセスＫ１を含むように示されている。図２Ｄの単一のＡＣ電源アウトレット２０Ｗ及びデュアル電源アウトレット２２Ｗは、それぞれ、単一のデュアルライブＡＣピン２８並びにデュアルＡＣピン２８−１及び２８−２、ニュートラルＡＣラインピンＮ、図４Ａに示されるグランド又は接地ピンＧのためのレセプタクルエントリＧＮＤ、及びＲＦＩＤ、光、又は両方を含む単一のセンサ２３又はデュアルセンサ２３−１及び２３−２を含むように示されている。
【００７０】
上記によって、図１Ａ〜図１Ｃのスイッチ及びアウトレットの先行技術の配線装置支持フレームと、インテリジェントであり、又はプラグインハイブリッドスイッチ、電源スイッチ、リレー及び電源アウトレットを有する単純なロッキング端子ボックスであるインテリジェント支持ボックスとの間の構造上の相違点が、明らかな根本的な構造上の相違点を示すことは明らかである。
【００７１】
図１Ａ〜図１Ｄなどに示される組み立てられた配線装置は、正面図又は（配線装置がプッシュキーによって動作させられる場合には）キー側を見ると、スイッチ及びアウトレットがそれらの構造において類似しているように知覚され、又は主張されるかもしれないが、それらは類似していない。先行技術の一般に使用されている電源スイッチのキーは、プッシュ／プッシュタイプではなく、かつ、平坦ではない。
【００７２】
さらに、先行技術のメカニカルスイッチ及びアウトレットの各々は、ウォールボックスを通じてアクセスされる電源配線に個々に接続され、従って、多くの電線をウォールボックス内に収められた複数のアウトレット及びスイッチに接続するために大がかりな作業を必要とする。対照的に、支持ボックスは、少数の電線に接続され、下記にさらに開示されるような電源アウトレットを含むハイブリッドスイッチは、フレーム３１の正面を通って、電源アウトレットの装置ピン１８、１９、２８、２８−１及び２８−２並びにＧＮＤピンのためのレセプタクル内、レセプタクル２３内へプラグインされる。
【００７３】
実質的に低減された数の電源配線及びグランド配線は、図５Ｃの支持ボックスの背面カバーを囲む自動ロック式端子を通じて接続される。この構成は、電線接続の数、各個々のスイッチ及びアウトレットを取り付けるために要する時間を低減し、それによって、個々の電源配線の接続において経験される誤りを著しく低減する。
【００７４】
これは、それ自体が先行技術の構造及び機能に対して実質的な改善を導入するが、これは、インテリジェンス及びオートメーションを考慮せずに、所与の住宅又は企業用建物の電気配線及びシステムに対して追加される。
【００７５】
さらに、オートメーション制御又はインテリジェンスを備えずに、本発明の支持ボックスは、先行技術の電動設備を単純化する。図１Ａに示される先行技術のメカニカルＳＰＤＴスイッチ又はＳＰＳＴスイッチと電源アウトレットとを組み合わせるコスト及び実装が、配線端子を取り除くことによって、及び配線端子を図２Ｄのプラグインピン１８、１８Ａ、１９、１９Ａ、１９Ｂ、２８、２９、Ｎ及びＧＮＤと置換することによって、実質的に低減され得ることが、明らかとなる。
【００７６】
他のコスト削減は、米国特許第９，２１８，３５８号明細書において開示されている、挿入端子１Ｇ及び予め構築された対応するレセプタクルをロックするように、変形され、又は支持ボックスを変換した支持フレーム３１である。上記全ては、下記に論じられるインテリジェント回路及び他の要素の導入に先立つものである。
【００７７】
所与のインテリジェント支持ボックスの詳細は、米国特許第９，２１９，３５８号明細書において十分に説明されており、参照によって本明細書に導入されており、通信、動作及び報告を含み、図１７に示される動作回路を含み、以下でさらに議論される。
【００７８】
従って、本発明は、有意義であり、構造的に満足のいくものであり、動作させるのに好都合であり、かつ、効果的であり、これは、本発明の第１の、かつ、主な目的である。その他の目的は、先行技術の高価で時間がかかる実装と対比して、変形された電気配線装置を実装する時間及びコストを実質的に低減することである。これは、電気スイッチの変形されたキー及び支持ボックス及びフレームを使用することによって達成され、本発明の構造的に魅力的な構造化フレームを提供し、米国特許第９，２１９，３５８号明細書に記載されており、本明細書において示されているプラグイン実装方法を適用する。
【００７９】
支持ボックスは、図２Ａ〜図９に示されるように、ｎ個のハイブリッドスイッチ、メカニカルスイッチ及び電源アウトレットを収容するように拡張され得る。例示された支持ボックスは、２ギャング、３ギャング、４ギャング、６ギャング又は８ギャングのボックスとして構成される。「ギャング」は、ハイブリッドスイッチＨ１〜Ｈ４の幅サイズと等しく、これらは、先行技術のメカニカルスイッチの幅サイズと同様であり、２２〜２４ｍｍの間、又は１”（２．５４ｃｍ）未満の幅の範囲である。しかしながら、インテリジェント支持ボックス又は非インテリジェント支持ボックスに交換サイズを導入し、同様に、本発明のキー及び装飾フレームに交換サイズを導入することによって、任意のバリエーションのスイッチサイズが適応され得る。
【００８０】
フレーム内の要素配置、並びに装飾フレーム及びキーを形成する要素の物理的測定又はサイズに対して使用される用語のより一層の明瞭さのために、上部（接合）空間、底部（接合）空間、左側（接合）空間、右側（接合）空間、上部挿入物、底部挿入物、左側挿入物、右側挿入物、挿入幅、挿入長さ、キー幅のバリエーションを含むキー長さを含めて、以下及び特許請求の範囲において使用される用語は、図２Ｄ、図２Ｅ及び図３Ｂにおいて開示されている。
【００８１】
以下及び特許請求の範囲における「同一の」という用語は、所与のキー及びフレーム要素の厳密な測定値又は構造を指さず、形状、サイズにおける類似性、又は視覚的に及び／又は審美的に及び／又は構造的に、単純によく似ていることを指す。
【００８２】
電源アウトレットは、２ピンプラグ及び３ピンプラグの両方について、イスラエル及び他の中東諸国において使用されるＭＥ（Ｍｉｄｄｌｅ  Ｅａｓｔ）プラグ及びソケットであっても、又はドイツ及びヨーロッパ全体において使用されるＤＥタイプであっても、又は米国を含むヨーロッパのプラグ及びソケットのフランスバージョンであるＦＲタイプであっても、日本の電源アウトレットを含む、２ピンプラグ及び３ピンプラグのための日本の電源アウトレットであってもよい。中国においても使用されるオーストラリアタイプのプラグＡＵのための電源アウトレット、及び英国規格のプラグＧＢのための英国及び香港のアウトレット２０ＧＢ、及び全ての所与の国々の他の標準プラグは、全てデュアルギャングボックスサイズにおいて収容され得る。
【００８３】
例えば、ハイブリッドスイッチＨ１〜Ｈ４の幅サイズは２３〜２３．５ｍｍであり、電源アウトレットの幅は４６〜４７ｍｍの間であろう。あらゆる異なる電源アウトレットが、図２Ｂ、図４Ａ、図４Ｂ、図６Ａ、図６Ｂ及び図７Ａから図９に示されている。２ピン２２ＵＳ及び日本、中国２２ＣＮ及び２２＋ＣＮ並びにヨーロッパ２２ＥＰのためのデュアル電源アウトレットも、同じデュアルギャングサイズに、又は４６ｍｍ若しくは４７ｍｍの幅、及び４４〜４５ｍｍの高さに収容されて示されている。簡単に及び標準的にするために、電源アウトレット、及びＰＣ、電話又はオーディオコネクタなどの他のアウトレットの外側ケースは全て、４５ｍｍ又は４６ｍｍなどの直角の正方形の外側ケースにおいて作製され得る。
【００８４】
電源アウトレットは垂直取り付けのためにも構築されることに留意することが重要であり、図９に示される垂直な柱内への電源アウトレットの実装を可能にし、中東アウトレットＶＭＥ、フランスのＶＦＲアウトレット、オーストラリアのＶＡＵアウトレット及びＶＵＳアウトレットは、ロッキング凸部２４を備えて構築され、図２Ｄに示されたような水平に取り付けられる支持ボックス内への取り付けのためのアウトレットケースの上面及び底面において導入される凸部２４及びストッパ２６に対して、図２Ｄのストッパ２６は、垂直に取り付けられる支持ボックス内への取り付けのためのアウトレットケース（図示せず）の左表面及び右表面上にある。
【００８５】
上記の解説及び図２Ａ〜図６Ｄに示されるアセンブリから、本発明の支持ボックスのための、及び先行技術のフレーム上に取り付けられる同様に構築されたスイッチ及びアウトレットのための、平坦なキー及び平坦なフレームが、任意の所与の国々及び地域において標準的なアウトレットとして知られている多くの異なるアウトレットのための優れた装飾カバー及びキーと共に、多用途の、単純で、かつ低コストの実装を提供するように十分に適合され得ることは明らかである。
【００８６】
支持ボックスは、米国特許第９，２１９，３５８号明細書に開示されているインテリジェント支持ボックスの使用を含めて、多くの他の利点を提供するために、先行技術の配線装置のサイズ及び形状に適合するように構築されたプラグインメカニカルスイッチを収容するようにも構築される。
【００８７】
米国特許第８，５９４，９６５号明細書、米国特許第８，９３０，１５８号明細書及び米国特許第９，２１９，３５８号明細書において開示されているように、インテリジェント支持ボックスは、電気回路のブロック図に関連して後でさら論じられるセンサ２８ＯＰ及び２８ＩＤを含むが、ＯＰ（ｏｐｔｉｃａｌ）センサ２８０Ｐ又はＩＤ（ＲＦＩＤ）アンテナ２８ＩＤが、図４Ａ〜図４Ｂ及び図６Ａ〜図９において、アウトレットへの電源ピンエントリ間の正面からアクセスされるように明確に示されていることは明らかである。
【００８８】
図４Ａの光送受信機及びＲＦＩＤアンテナは、図２Ｄに示される電源アウトレット構造の後部中心において、センサレセプタクル２３、２３−１及び２３−２内へ導入されて、アウトレットの正面に到達する。図４Ｂのセンサ３８ＯＰは、図２Ｄのオプトポート３８ＯＰの図示された開口部、又は図６Ｂ及び図７ＡのＲＦＩＤタグ２０Ｂ、２０Ｕ、２０Ａ若しくは２０ＥＵのための開口部のない図示された平坦な凹部である。
【００８９】
取り付けられたＲＦＩＤアンテナ及びタグを備えた、図示されたプラグ及びアウトレットは、同一のＲＦＩＤタグ及びオプトポート位置を使用して、３ピンプラグ及びアウトレット並びに２ピンプラグ及びアウトレットへ導入されるように構築されることに留意することが重要である。これは、反対に差し込まれ得る、１９ｍｍピッチの２ピンプラグを有する、米国、ＥＵ及び中東の国々において使用されている、そのようなプラグ及びアウトレットにとって特に重要であり、これは、ＲＦＩＤ通信と常に直接的な光リンクにあるように、かつ、ＲＦＩＤ通信と接近するように、２ピンプラグの中心におけるＲＦＩＤアンテナ又はオプトポートの両方の導入を要求する。
【００９０】
オプトポートＯＰは、図７Ｂ及び図７Ｃにおいて、図示されたアウトレット、２８ＯＰを有する２０ＵＳ、図７Ｃに示される、デュアル２８ＯＰを有する２２ＵＳ、デュアル２８ＯＰを有するＤＥアウトレット２２ＤＥ及び単一の２８ＯＰを有するＭＥアウトレット２０ｍＥなど、の正面中心２８ＯＰに示されている。
【００９１】
図４Ｃに示されるように、識別、電力消費を通信するための、及び／又は更新、校正、制御、コマンド及び報告ステータス及び同様のものを含む双方向データを交換するための、先行技術の光送受信機又は送信機の場所は、３．９ｍｍ〜５ｍｍの直径を有する２つの丸形ピン間に１９ｍｍのピッチ又は距離を採用する他の国々を含む、２ピンのＥＰ、ＭＥ及び中国のプラグと同様に、米国／日本及び中国のプラグの２つのピンの間で位置する。
【００９２】
全てのそのような国々について、２つのピンの中心において通信するように光送受信機２８ＯＰを実装することは単純かつ好都合であり、直線の又は反転されたプラグを用いたアウトレット内へのプラグの取り付けにかかわらず、完全なアラインメントを保証する。
【００９３】
同じことは、ＲＦＩＤリーダ２８ＩＤと器具識別を通信するためのＲＦＩＤタグの取り付けを示す図４Ｄに示されるＲＦＩＤタグに当てはまる。１ｍｍ未満のＲＦＩＤタグ厚さは、図６Ａ〜図６Ｂの電源アウトレット２０ＵＳ若しくは２２ＵＳ、又は図７Ａ及び図７ＣのＥＰ電源アウトレット２０ＥＰ及び２２ＥＰの２つのピンエントリ間の凹部内に収容される。
【００９４】
図４Ｃ及び図４Ｄに示される先行技術のＲＦＩＤタグ及び光送受信機のための凹部は、ＧＢプラグ及びアウトレット及び／又はオーストラリア３ピンプラグ及びアウトレットの例では異なって配置される。
【００９５】
これらの２つのタイプのプラグは、２ピンタイプにおいて一般に供給されない。いくつかはオーストラリアにおいて使用されているが、図８Ｃにおいて２０ＣＮ及び２０＋ＣＮとして示される、中国において使用されている同じ３ピンプラグは、２ピンでは決して提供されない。従って、単一の３ピンソケット又は組み合わせＣＮソケット２０＋ＣＮのセンサ中心は、正確に中心内にはなく、同じことは、図８Ｃに示されるＧＢ３ピンアウトレット２０ＧＢに当てはまる。
【００９６】
隣接するＲＦＩＤアンテナ、例えば、デュアルＲＦＩＤセンサ２８ＩＤを示す図７Ａの隣接するアウトレット２２ＤＥなどによって、ＲＦＩＤタグを読み取ることを回避するために、ＲＦＩＤタグ及びＲＦＩＤアンテナが近くから通信されることを保証することが非常に重要である。
【００９７】
図４ＢのＲＦＩＤタグが、２ピン米国プラグ上に、及び図６Ａ〜図６Ｂの２０ＵＳ又は２２ＵＳアウトレットＳＵのいずれかの中へ導入され得ることも明らかとなるべきである。しかしながら、そのような導入は、ＲＦＩＤタグの隣接する読み取りが可能ではないことを保証しなければならない。これは小型のアンテナ及びＲＦＩＤコイル、並びに、１２５ＫＨｚなどの、より低い周波数のＲＦＩＤ帯域の使用を要求し、これは、米国特許第８，９３０，１５８号明細書（先行技術）において解説されている。
【００９８】
図１０Ａ〜図１０Ｆは、構造的なニーズ及び施設における電気制御及び器具制御の全体にわたる統一された設計への要望に十分に適用するように、上記で図２Ａ〜図９において開示され、図示されているスイッチ及びアウトレットと共に実装するためにサイズ、外観及び色が一致するように設計された、２０ＴＧ、３０ＴＧ、４０ＴＧ、６０ＴＧ及び８０ＴＧとして示されるガラスパネルによってカバーされるように構築された、米国特許第８，７４２，８９２号明細書において開示されたホームオートメーショングリッド内に接続された配線装置及び器具を操作するためのタッチ画面を示す。
【００９９】
タッチ画面の技術的詳細及び詳細事項は、参照米国特許第８，７４２，８９２号明細書において十分に開示されている。図１０Ａから図１０Ｅにおける図示された構造は、相互ウォールボックスサイズに、又はフレーム取り付け孔３２を介して壁若しくは他の平坦な構造に、例えば、柱又はパーティション（図示せず）などの上に直接取り付けられボディ２０Ｔ、３０Ｔ、４０Ｔ、６０Ｔ及び８０Ｔを備えるタッチ画面の基本的な要素である。
【０１００】
ホームオートメーションバスラインネットワークを介してタッチ画面と通信し、電源供給するためのバスラインにタッチ画面を接続する、開示されている周知のツイストペア銅線は、参照された米国特許第８，７４２，８９２号明細書において開示されており、適用される。或いは、ボディ及び回路ＰＣＢは、米国特許第８，７４２，８９２号明細書の端子に対して使用されるねじを取り除くべくツイストペア線をロックするために、周知のプッシュインコネクタ（図示せず）を用いて構築されてもよい。
【０１０１】
ＰＣＢの他に、アイコン設計のタッチ面を含むベースボディアセンブリは、参照された特許において示されるような同一のアイコン又は同様に表示されるアイコンとされ得る。
【０１０２】
各タッチパネルに、又は特定のスイッチ若しくはアウトレットに割り当てるための識別番号のための設定セレクタは、インテリジェントウォールボックスの数字割当てに類似しており、設定セレクタＳＳ−１からＳＳ−ｎを介して割り当てられて示されている。実際には、住宅は、２桁を超えるコードを想定しないが、大規模な施設若しくは家屋又は他の特定の設定の場合には、より多くの桁の識別への必要性が必要とされることがあり、この理由から、図示されている２つの設定セレクタは、３つ又は「ｎ」個のセレクタとなってもよい。或いは、設定は、各タッチ画面のメモリ（図示せず）へ識別番号を直接独立して実装する主オートメーションコントローラによって提供されてもよい。
【０１０３】
図１０Ａ〜図１０Ｅのタッチガラス２０ＴＧ〜８０ＴＧ及び支持フレーム２０ＴＦ〜８０ＴＦ上に一致した色で提供される、図示されているセルフインプリントされたステッカーは、図１１Ａ〜図１１Ｂに示されるような標準サイズのＡ４又は８”×１１”（２０．３２ｃｍ×２７．９４ｃｍ）プリンタを介して印刷するためにＰＣへダウンロードされたプログラムを使用してインプリントされる。
【０１０４】
タッチガラス２０ＴＧ〜８０ＴＧは、図１０Ａ〜図１０Ｅにおいて、支持フレーム２０ＴＦ〜８０ＴＦから分離されて示されているが、切り欠き又は凹部８０Ｃを介してガラスカバーアセンブリをボディに取り付ける自己ロッキング凸部又はリッジ８０Ｒによって、各ボディ２０Ｔ〜８０Ｔに取り付けられる支持フレームに対して固定して取り付けられて供給される。
【０１０５】
ステッカー２０ＳＴ〜８０ＳＴは、アセンブリ２０Ｔ〜８０Ｔの正面上に自己接着させるためのフレーム及びスイッチキーの色と一致させるために異なる色で提供され、タッチパネルのユーザが、システムコントローラ（図示せず）を通じてバスライン（図示せず）を介して設定される設定を変化させたい場合に、簡単にはがすことができ、新しくインプリントされたステッカーによって置換される自己接着性を提供する。
【０１０６】
図１１Ａに示されるように、セルフインプリントされたステッカー２０ＳＴ〜８０ＳＴは、様々なサイズにプレカットされた形態で提供され、ＰＣへロードされたプログラムを使用してインプリントされ、プレカットアウトされたラベル、例えば、図１１Ｂに示される８カットのセルフプレインプリントされた２０ＳＴＰ及び３０ＳＴＰなどのうちのいずれか１つ又は全部を出力するために、標準プリンタＰＲによって印刷されることができる。
【０１０７】
他の図示されているインプリントされたステッカー３０ＳＴＰは、ジェームズの寝室の照明１ＳＴＢＤ１、ジョアンナの寝室の照明１ＳＴＢＤ２、及び母親の寝室の照明１ＳＴＢＤ３を含めて、居間の照明オン／オフ１ＳＴＬ、キッチンの照明オン／オフ１ＳＴＫ、及び食堂の照明オン／オフ１ＳＴＤと共に示される花１ＤＭなどの装飾モチーフを含む。その他のインプリントされたステッカー２０ＳＴＰは、ジェームズ及びジョアンナ等の照明スイッチングを示す。垂直柱状ステッカー６０ＳＴＰ−Ｖは、全ての照明１ＳＴＡＬ、湯沸器１ＳＴＢＯ、テレビのスイッチングオン／オフ及びさらに多くのスイッチングを示す。
【０１０８】
実装に先立って、又は実装の後で、任意の所与の時にユーザ又は実装者によって選択され、設定され、インプリントされるような、全ての上記のセルフインプリントされるラベルは、必要とされ、欲され、又は必要になると、設定された通りにインプリントされ得る。
【０１０９】
インプリントされるステッカーは、壁取付式の配線装置及びタッチパッドに対して構造的な完璧さを提示する、スイッチ及びアウトレットの装飾フレーム及びキーに合致するように装飾線と共に示された３０ＳＴＰに類似した設計モチーフと共に印刷され得る。
【０１１０】
あらゆるインプリントされるステッカー及びガラスパネルは、フレームとキーとの間の線８０５によって分けられた厳密な構造にあるものとして現われるように、例えば、全体にわたり完璧な設計調和において現われるように、分割線と共にさらにインプリントされ、又はシルクスクリーン印刷される。
【０１１１】
図１２Ａ〜図１２Ｄは、ばね駆動されるプッシュキー、図１２Ｂの中心Ｃ並びに図１２ＣのＬと図１２ＤのＲとの両方の角部を通じたプッシュアクションによって中心プランジャ１３Ｐを作動させるための構造の断面図を示す。
【０１１２】
駆動ばね１２ＳＰは、触覚アクション／移動において動作するように設計されており、左側又は右側に対する指５０によるプッシュ、又はキー表面の任意の他の部分に対するプッシュは、ばね１２ＳＰの中心屈曲１２ＳＰ−Ｃを強制的な触覚アクションにおいて移動させ、プランジャ１３Ｐに十分に圧力を加えるであろう。
【０１１３】
指５０を遠ざけることによるプッシュアクションの停止は、ばね中心屈曲１２ＳＰ−Ｃをプランジャアセンブリ１３Ｐからリリースし、図１２Ａに示されるような拡張ばね１３Ｓによってプランジャアセンブリ１３Ｐをリリース位置へリリースする。
【０１１４】
ばね１２ＳＰは、ばね１２ＳＰの円で囲まれた構造化されたヒンジ１２Ｒを支持する２つの半円形切り欠き１２ＲＨによって、スイッチの上部の所定の位置に保持され、それにより、（図１２Ａ〜図１２Ｄに示されるような）上方／下方への触覚ばね移動は、印加された圧力の最小限の損失を有して、かつ、固定して支持されたばねの屈曲によって経験される張力を有することなく、滑らかになり、図示された４つのヒンジ１２Ｒを、張力及び摩擦を低減させる構造にし、この構造は、触覚アクションを作動させ、キーに対する指のプッシュ圧力のレベル、及び、特に、図１２Ｅに示されるポールをラッチするラッチング装置又はユニット１３ＬＤ上へのプランジャ１３Ｐによる図３ＡのスイッチＨ３又はＨ４のダブルポール１３ＭＬ及び１３ＭＲの結果として得られるプッシュのレベルを確立するために適用することが必要な力を低減させるために重要である。
【０１１５】
図１２Ａ〜図１２Ｄの断面図は、単一のプランジャピン１３Ｐを示すが、図示されたレセプタクル１３Ｒの構造は、単一のプランジャ１３Ｐ、又は、各々が１つのポールをプッシュする、左側の１３ＰＬ及び右側の１３ＰＲのデュアルプランジャとすることができる。デュアルマイクロスイッチポール１３ＭＬ及び１３ＭＲが、図１２Ｅに示されている。図示されてはいないが、ｎ番号を有することは可能である。３つのフェーズ（一例として）によって動作する器具のためのマルチポールスイッチの場合、ｎ個のプランジャ１３Ｐによってプッシュされる、ｎ個のポールを有することが可能である。
【０１１６】
プランジャレセプタクル１３Ｒとプランジャ支持ガイド１３Ｇとの間で伸長されたばね１３Ｓは、レセプタクルを常にそのリリース位置に維持するための柔らかいばねである。ばね１３Ｓは、キー１ＳＧ又は１ＳＰＬが手動で作動されている間のみ、圧縮される。これは、マイクロスイッチポールをラッチングするための、及びリリースするための、プッシュキー及びアーマチュアを介した、２つの独立したアクションが互いに干渉しないという条件を提供するように、プランジャ１３Ｐをラッチング装置１３ＬＤから分離させるために特に重要である。衝突を防止する必要は、２つの別個のアクションが丁度同じ時に同時発生する場合に特に明らかである。これは、図３ＡのハイブリッドスイッチアセンブリＨ１〜Ｈ４によって提供されるストレート／クロスをスイッチオン若しくはスイッチオフすること、又は切り替えること、又は反転させることを含む。
【０１１７】
図１２Ｅの図示されたプランジャ１３ＰＬ及び１３ＰＲは、図が過度に複雑化してしまうので、ばね１３Ｓなしで示されているが、２つのばね１３Ｓは、図１２Ａ〜図１２Ｄに示されるようにレセプタクル１３Ｒと支持ガイド１３Ｇとの間で伸長される。
【０１１８】
ばね１２ＳＰに沿って、多くの取り得る作動点又は作動位置が存在する。図示された作動位置は、１２ＳＰ−Ａ及び１２ＳＰ−Ｂである。ばねを広げるのに必要な圧力に依存して、ばね中心における触覚アクションのために、ばね１２ＳＰによって必要とされる力を提供する。図１２Ａ及び図１２Ｂに示されるキーベース１２は、図１２Ｅ及び図１２Ｆのキー１ＳＰＬ及び１ＳＧの中心領域又は中心空間を介してプランジャを作動させるために、１２ＳＰ−Ａ（凹んだ位置）としてマークされている、そのおよそ左中央のばね及び右中央のばねを押す、作動バー１２Ａをキーベースの両側に有して設計されている。図１２Ｅに示されるバー１２Ｂは、中心１Ｃにおいて指が提供するであろう、デュアルポール１３ＭＬ及び１３ＭＲにとって必要とされる、より高い触圧を提供する。
【０１１９】
ベースキー及びキーベースという用語は、記載される文に合わせて本説明を通じて置き換えられるが、図１２Ａ〜図１３Ｇ及び図１６Ａ〜図１６Ｂのベースキー１２、並びに図１４Ａ〜図１４Ｂ及び図１６Ｃ〜図１６Ｄのベースキー１２０を参照されたい。
【０１２０】
従って、キーの中央空間内に作動プッシュを提供するためには、ベースキー１２のプッシュバー１２Ａを使用すれば十分である。触覚アクションによって必要とされる力が、制限された力である場合、バー１２Ａは、キー表面全体にわたるプッシュのためにも使用され得る。
【０１２１】
図１２Ｃ〜図１２Ｄ、図１２Ｅ及び図１２Ｇに示されるプッシュバー１２Ｂを介してばね１２ＳＰのプッシュ点又はプッシュ位置１２ＳＰ−Ｂを使用することは、図１２Ｃと、図１２Ｇにも示されるような４つの１２Ａ及び４つの１２Ｂの８つのバーとを組み合わせて、図１２Ｃ及び図１２Ｄに示されるようにキーの２つの側に対して指５０の圧力が加えられるにつれて、より強い触覚アクションを提供するであろう。
【０１２２】
図１２Ｄ及び図１２Ｅに示されるベースキー１２には、図１２Ｃ〜図１２Ｄにおいて動作させられるように４つのプッシュバーが提供されており、図１２Ｆに示されるベースキー１２Ｃには、図１２Ｂにおいて動作させられたことが示されている４つのプッシュバー１２Ａが提供される。
【０１２３】
図１２Ｇは、１ＳＰＬであれ、又は１ＦＧであれ、キー全体にわたる任意のプッシュに対して、ばね１２ＳＰによる触覚力アクションを提供するための、４つのプッシュバー１２Ａと４つのプッシュバー１２Ｂとの両方を備えたベースキー１２Ｇを示す。平坦なキーを提供することで、本発明の装飾プラスチックパネル及びガラスパネルの表面を輝かせ、建築家によって望まれる審美的に満足のいく構造を提供する。
【０１２４】
図１３Ａ〜図１３Ｆには、本発明のベースキー１２を介した、機械的に作動されるハイブリッドスイッチの動作が示されており、キーは、指５０によるベースキー１２の表面全体にわたって作動される。
【０１２５】
図１３Ａ〜図１３Ｃは、図１２Ａ〜図１２Ｆに示されるコイル１３ＣＬ、アーマチュア（armature）１３ＡＲ、ラッチング装置１３ＬＤ、プッシュアーム１３ＰＡ、プランジャ１３Ｐ、プランジャばね１３Ｓ、プランジャ支持ガイド１３Ｇ、レセプタクル１３Ｒ及び作動ばね屈曲部１２ＳＰ−Ｃを含むための、ハイブリッドスイッチＨＢＳ（Ｈ１〜Ｈ４）のラッチング要素の３つの基本状態を示す。
【０１２６】
スイッチＨ１〜Ｈ４のハイブリッド動作に関与する多くの要素が、図面を複雑化してしまうため、ラッチングプロセスにおいて重要なアイテム、すなわち、小型の要素であるプッシュアーム１３ＰＡは、複雑化した図面内ではほとんど目立たない。
【０１２７】
図１３Ａにおける図示されたプッシュアーム１３ＰＡは、ｎミリ秒の所与の時間にわたり、コイル１３ＣＬに電源パルスによって電源供給される場合に、アーマチュア１３ＡＲによって作動される要素である。ラッチング要素の移動は、米国特許第９，０１８，８０３号明細書、米国特許第９，０３６，５０８号明細書、米国特許第９，２５７，２５１号明細書及び米国特許第９，２８１，１４７号明細書において十分に開示されている。
【０１２８】
ここでの説明は、本発明に関連するので、プランジャ移動を作動させるためのベースキー１２のプッシュが、図１３Ａのリリース状態において示されるプッシュアームのリリース位置から、図１３Ｂに示されるキーベース１２の指によるプッシュ（又は磁気コイルによるアーマチュアの吸引）による最大プッシュ状態（キーが押下げられた時間の長さの間）に、プッシュアーム移動の制限によって制限されることを知ることが重要である。
【０１２９】
プッシュアームについては３つの「停止」状態又は「パーキング」状態があり、「停止」は、１秒の何分の１かで測定される短い時間、又は図１３Ｂに示される、指による最大のプッシュであり得る。その他の２つは、図１３Ａに示されるリリース状態、及び図３Ｃに示される部分的なリリース状態である。
【０１３０】
部分的なリリース状態は、ラッチング装置をそのラッチング状態からリリースすることをもたらす。なぜならば、プランジャがその最大プッシュ状態にあるラッチング状態は、リリース状態への切り替えを可能にするためにさらにプッシュされることができないからである。部分的なリリース機能は、上記に列挙された米国特許第９，０１８，８０３号明細書、米国特許第９，０３６，５０８号明細書、米国特許第９，２５７，２５１号明細書及び米国特許第９，２８１，１４７号明細書において十分に解説されている。
【０１３１】
この理由から、図３Ｃに示される部分的なリリースの「パーキング」状態は、アーマチュア１３ＡＲがプッシュアーム１３ＰＡ若しくはプランジャ１３Ｐをさらに再プッシュすること、又はラッチング装置１３ＬＤを再プッシュして、短い時間（及び距離）の作動によってラッチング装置を切り替えることのいずれかを可能にする状態である。アーマチュア１３ＡＲの磁気吸引によるものであっても、又はラッチング装置１３ＬＤに対するキーのプッシュによるものであっても、又は（プッシュ時間が一致する場合には）両方であってもよい。
【０１３２】
図１３Ｄ〜図１３Ｆ−２は、接触時間（完全にプッシュされている）、リリース時間及び部分的にリリースされている状態の間のラッチングとマイクロスイッチポール１３Ｍのステータスの組み合わせ状態を示す。
【０１３３】
図１３Ｄ−１は、ベースキーばね１２ＳＰのリリース状態、ラッチング装置１３ＬＤのリリース状態及びマイクロスイッチポール１３Ｍのリリース状態を示しており、ばね１３Ｓは、十分に伸長されて、レセプタクル１３Ｒをリリース状態へと上方へプッシュする。
【０１３４】
上方へ移動する力、及びラッチング装置１３ＬＤのリリースの状態は、マイクロスイッチポールコンタクトがコンタクト１８Ａに係合するリリース状態の間に、ばね１３ＭＳの力によって提供される。ラッチング概念及び移動の他の全ての詳細は、米国特許第９，０１８，８０３号明細書、米国特許第９，０３６，５０８号明細書、米国特許第９，２５７，２５１号明細書及び米国特許第９，２８１，１４７号明細書において十分に開示されている。
【０１３５】
図１３Ｅは、ハイブリッドスイッチを作動させるためにキーベース１２表面の全体にわたる指によるプッシュの状態を示しており、この状態において、ばね１２ＳＰは圧縮され、その中心屈曲部１２ＳＰ−Ｃは、触覚アクションにおいてレセプタクル１３Ｒ及びプランジャ１３Ｐを強制的にプッシュし、ばね１３Ｓを圧縮し、プランジャ１３Ｐを介してマイクロスイッチポール１３Ｍをプッシュして、（周知である）マイクロスイッチポール移動によって、コンタクト１８Ｂに係合するか、又はコンタクトに係合しない（オフ状態）のうちの１つへ切り替える。
【０１３６】
ばね１２ＳＰによるプッシュ及び触覚アクションの間に、ラッチング装置１３ＬＤ及びプッシュアーム１３ＰＡは、最大伸張となるようにプッシュされ、プッシュアーム１３ＰＡは、コイルボビン上面１３ＣＬによって物理的に停止される。それ以上の移動は可能ではなく、この時点では、プッシュアーム１３ＰＡ及びラッチング装置１３ＬＤは、ラッチングが発生することを可能にするために、及びラッチング装置１３ＬＤをリリース状態へ切り替えるために必要な最小限の移動を提供するために、「パーキング」され、反対の小さなステップにおいて部分的にリリースされなければならない。
【０１３７】
図１３Ｆは、プッシュアーム１３ＰＡ、ラッチング装置１３ＬＤ及びマイクロスイッチポール１３Ｍが部分的にリリースされ、キー（又はアーマチュア１３ＡＲによる発動）の新たなプッシュを可能にして、ラッチング装置をリリースし、図１３Ｇに示されるようにスイッチ状態をリリース状態へ反転させ、これは、図１３Ｄに示されるものと同じ状態である。
【０１３８】
上記は、平坦なキー表面の全体にわたるプッシュが、オンからオフであれ、ストレートからクロスであれ、及び／又はＡコンタクトとの係合からＢコンタクト（ＳＰＤＴ又はＤＰＤＴ）との係合であれ、ハイブリッドスイッチの状態を反転させるであろうことを明確に示す。
【０１３９】
図１４Ａ〜図１４Ｇは、平坦なキーを使用して、図１２Ａ〜図１３Ｇに示されるプッシュスイッチに類似した、ロッカー又はトグルスイッチを作動させることを示す。図１４Ａは、プッシュバー１２０Ａの位置と、一方がばね１２０ＳＰの左側半分Ｌを介して、他方がばね１２０ＳＰの右側半分Ｒを介して、２つの触覚アクション１２０ＳＰＬ及び１２０ＳＰＲを作動させるように形作られたばね１２０ＳＰと、を除いて、図１２Ａのベースキー１２に類似したベースキー１２０を示す。
【０１４０】
触覚アクションの各々は、図１４Ｄ及び図１４Ｅにそれぞれ示されるロッカー又はトグルスイッチのスイッチケース１４０によって支持される支点１３０Ｆの蝶番のあるプッシュシーソー又は回転バー上へ加えられる。「ロッカー」及び「トグル」という用語は、一般に、スイッチのコンタクト及び／又はポールではなく、スイッチを動作させるために使用されるキーを言い表す。従って、開示されるようなロッカー及び／又はトグルという用語は、いかなる詳細においてもスイッチ内部構造を意味するものではなく、それらは、施設における照明のスイッチオン／オフのために一般に使用される２つのタイプの電源スイッチを示すためのものである。
【０１４１】
一般に使用されるロッカー又はトグル電気スイッチのポールは、図１４Ｄ及び図１４Ｅに示される２つの位置以外の他の位置において「パーキング」されることはできない。図１４Ａ及び図１４Ｂの図示された（中間にある）中心位置は、ミリ／マイクロ秒という短い時間の間の遷移状態である。従って、図１４Ａ及び図１４Ｂにおける図示された状態は、図示されるベースキー１２０が、図１４Ｂにおいて、その中心領域においてプッシュされ、図１４Ｃに示されるように開放されたときに、ばね１３０Ｓ又は１３１Ｓによって左側又は右側へ力を加えられるであろう、シーソー１３０Ｆの遷移位置である。
【０１４２】
左側１３０Ｌ又は右側１３０Ｒの方へ回転するシーソーバーは、図１４Ｄの作動ばね１３０Ｓ又は図１４Ｅの１３１Ｓの傾斜位置に従うであろう。従って、図１４Ｆにおいて領域１Ｃとして示される、キーの中心領域を通じてプッシュが適用される、図１４Ｂにおける図示される指によるプッシュは、バネ部分１２０ＳＰＬ及び１２０ＳＰＲの両方の触覚のアクションを作動させ、シーソーが回転することを防止し、それにより、「現在の」（中心のプッシュが適用された時の）ばね１３０Ｓ又は１３１Ｓの傾斜が、プッシュの時間の長さの間だけ残り、その以前の傾斜位置へ戻るか、又は、ばね１３０若しくは１３１が他方へ傾斜するように構成されている場合には、切り替わるであろう。そして、その先の傾動状態、又は別の手法を傾けるために、ばね１３０又は１３１が構成されたかどうかに関するスイッチに戻るだろう。
【０１４３】
図１４Ｄ及び図１４Ｅに示されるような、左側又は右側への指によるプッシュのみが、ばね１３０Ｓ又は１３１Ｓ及びポールを、コンタクトＡとの係合からコンタクトＢとの係合へ、又はコンタクトＢからコンタクトＡへ切り替えるであろう。
【０１４４】
従って、新規な回転ペデスタルと組み合わされた、ばね１２０ＳＰ及びプッシュバー１２０Ａの位置決めは、網状の線内に示される図示されたインジケータ１−ＩＮ−１及び１−ＩＮ−２の辺りで、キー表面の２つの対向する端部領域のうちの１つをプッシュすることによって、トグル又はロッカースイッチが平坦な装飾キーによって動作させられ得ることを明確に示す。
【０１４５】
そのような制限によって引き起こされる問題は、スイッチ状態を反転させるために、キー１ＳＧ又は１ＳＰＬのどの表面がプッシュされるべきかという課題である。これは、キーのプッシュが誤って何のスイッチ作動ももたらさない状況を防止するために、ユーザを適切なプッシュ位置へ導く標識を要求する。
【０１４６】
そのような標識は、インテリジェント支持ボックスに実装されたデュアルＬＥＤ３Ａ及び３Ｂによって提供される。米国特許第９，２１８，３５８号明細書は、実装されたハイブリッドスイッチ又は手動スイッチのステータスを識別するためのインジケータを開示している。２つ以上のインジケータが、３Ａ又は３Ｂとして、それらの表面が支持ボックスの内側上部カバーに配置された状態で、ハイブリッド又は手動又はリレー及びこれらの組み合わせのスイッチのベースにおいて照明アクセスへ向けられて示される。
【０１４７】
実装されたハイブリッドスイッチ又は手動スイッチのベースにおける照明アクセスは、スイッチ底部におけるアクセスから、図１４Ｇに示されるスイッチボディ１４０Ｔの上面のインジケータ３ＡＬＧ及び３ＢＬＧまでずっと伸長された、プラスチック光ファイバー（ＰＯＦ）としても知られている光導波路３ＡＬＧ及び３ＢＬＧを介して放射される。
【０１４８】
ハイブリッドスイッチのための開示された上記のインジケータは、単一のインジケータのためのものであり、一方で、ガラスキー１ＳＧＤとプラスチックキー１ＳＰＬＤとを含む手動スイッチの図示されたキーは、デュアルインジケータと共に開示されている。これは、トグル又はロッカースイッチの状態を反転させるための指によるプッシュが示される位置又は表面に対して標識を提供するためである。
【０１４９】
本発明は、インテリジェント支持ボックス及びインテリジェントボックスにおいて使用される電子制御回路の完全な解説を含まないが、実装された各トグル又はロッカースイッチに対してデュアル照明器（ＬＥＤ）を含むインテリジェントボックスの変更された回路を開示することが好適である。インテリジェント支持ボックスの変更された回路は、図１７において開示されており、下記でさらに解説されるであろう。
【０１５０】
図１５Ａ〜図１５Ｄには、フレーム３１、６１及び８１上への装飾パネル又はフレームの取り付けが示されている。但し、これらは、図１５Ａ〜図１５Ｂの３０Ａ〜Ｄ、図１５Ｃの図示された６ギャングインテリジェントボックス６０Ａ〜Ｄのためのガラスフレームベースとして示されている６ＦＧＢを含む３ギャングボックスのためのプラスチック装飾フレーム３ＦＰＬと、場合によっては、水平な向き又は垂直な向きの４ギャング、１０ギャング又は１４ギャングなどの他のサイズを含む、図１５Ｄの８ギャングインテリジェントボックス８０Ａ〜Ｄのための成形されたプラスチック装飾フレーム８ＦＰＬとの両方を備えた、インテリジェントボックス及びサイズの全てに対して、例示された支持ボックスサイズの全てが適用されることをカバーするようには示されておらず、全ては、上記及び本明細書において開示される詳細において十分にカバーするように意図されている。
【０１５１】
図１５Ａ〜図１５Ｄの全ての図面において示されるように、装飾プラスチック又はガラスフレームを取り付けるための要素は、２つのレセプタクルタイプに分類される相互レセプタクルとかみ合わされる鋸歯状スタッド３３Ａ（１〜８又はｎ）である。
【０１５２】
全てのインテリジェント支持ボックス又は非インテリジェント支持ボックスに含まれるフレームレセプタクルは、４つのレセプタクル３３（１〜４）である。追加されたレセプタクル３４（５〜８又はｎ）のうち、３４−５及び３４−６の２つは、図１５Ｃに示され、所定の位置にロックするためのロッキングアーム３４の端部において、図１５ーＣには４つのレセプタクル３４−５〜３４−８及び３４ーｎとしてさらに示される。図１５Ｃ及び図１５Ｄに示される鋸歯状スタッドは、スタッド３３Ａ−５〜３３Ａ−８又は３３Ａｎである。
【０１５３】
図１５Ｄは、ボックス内側フレーム８１と、ロッキング凸部３４Ａが提供されたロッキングアーム３４との間の空間へ挿入されたプラスチック装飾フレーム８ＦＰＬの鋸歯状スタッド３３Ａ−７の詳細を示す。鋸歯状スタッド３３Ａ−７には、複数の凸部３３ｂが提供されており、それにより、複数の凸部３３ｂは、摺動され、ロックされることができ、これは、図１５Ｃに示されるフレーム８１の周囲の壁との物理的接触であり、ロッキング凸部３４Ａが、２つの凸部３３Ｂ間に置かれ、又はパーキングした状態であり、それによって、装飾カバーフレームを周囲の壁面に接触する所定の位置へ効果的にロックする。
【０１５４】
個々のハイブリッドスイッチ又は手動スイッチをロックするように、並びに電源アウトレット及びスイッチをこれらがボックス内に挿入されるにつれてボックスにロックするように設計されたロッキングアーム３４の二重用途、装飾フレームをボックスフレーム上へ、及び壁上へロックすることは、単純なロッキングアーム３４をマルチロッキングアームへ変換し、装飾カバーの鋸歯状スタッドは、壁までずっと（５〜８ｍｍの距離）装飾フレームを単純かつ好都合に手でプッシュすることによって、ロッキングバー３４をロックされたスイッチ又はアウトレット上へ強制的にラッチし、装飾フレームを壁上へロックするための追加された要素となる。
【０１５５】
同じことは、（必要な場合には）スイッチ又はアウトレットを除去することにもあてはまり、装飾カバーを単純に後退させることは、ラッチング条件及びアクセスを解除して、ロッキングアームをリリースし、必要が生じた場合には、スイッチ又はアウトレットを無理なく引き抜く。
【０１５６】
図示された鋸歯状スタッド３３Ａ（５〜８）は、少数のスタッドのみに制限されているが、必要が生じた場合には、所与の支持ボックスのロッキングアームの各々全てに対してｎ個の相互スタッドを提供することが同様に可能である。
【０１５７】
図１６Ａ〜図１６Ｄは、インテリジェント支持壁ボックス又は非インテリジェント支持ウォールボックス上に取り付けるための平坦な又は湾曲したエッジ付きのパネル内へ組み立てられた、平坦なカットガラスパネル及び成形された平坦な又は湾曲されたキーを含む装飾パネル内へ組み合わされる、本発明の要素のアセンブリの断面図を示す。
【０１５８】
図１６Ａは、図１２Ｅ〜図１２Ｆのキーベース１２の凹部１２ＣＵへロックするための図１２Ｅ〜図１２Ｆに示される凸部１０を有するガラスキーホルダ１０と、キー移動を停止して、図示されたデュアルギャング及び図示されるような最大で８ギャングまでのパネル面、ガラスキー１ＳＧ、成形されたガラスパネルベース２０〜８０ＦＲと平坦になるように、又は図２Ａ〜図２Ｃ、図３Ａ〜図４Ｂ、図５Ａ〜５Ｂ、図６Ａ、図７Ａ〜図７Ｂ、図８Ａ〜図８Ｂ及び図９に示されるパネルを含む、水平なパネル、垂直なパネル、及び組み合わせパネル、正方形又は矩形についての任意の他の拡張されたフレームサイズと平坦になるように、キーの「パーキング」を保証するように設計されたストッパ１０ＳＳとを備えるカットガラスパネルの要素を示す。
【０１５９】
上記で論じられたように、ベースキー１２、ガラスキーホルダ１０及びガラスキー１ＳＧには、インテリジェント支持ボックスからアクセスされ、及び、上記に開示されると共に図１６Ａ〜図１６Ｄに示される光導波路３ＡＬＧを介して光学的にリンクされる少なくとも１つのＬＥＤ１−ＩＮを介した１つ又は複数のインジケータのための通路が提供されている。
【０１６０】
図１６Ｂは、例えば、透明なポリカーボネート若しくはアクリル材料及び／又はフレーム２〜８ＥＰＬの丸みを帯びた装飾エッジの組み合わせ及び上記に開示された他の将来的なサイズ及び／又は丸みを帯びたものが設計者の好みであり、又は好みとなる場合には、全ての丸みを帯びた表面を提供するために点線で示された丸みを帯びたキー１ＳＰＲとを使用するように、ガラスと全く同じ設計及び構造によって提供され得る成形された（プラスチック材料）の要素を示す。
【０１６１】
成形されたキー１ＳＰＬ又は任意選択の丸みを帯びたキー１ＳＰＲ、及びガラスキーホルダ１０は、内側フレームの２０−ＯＡ〜８０−ＯＡ開口アクセスを通じてキーを停止させるためのキーストッパ１０ＳＳを含み、それにより、キーが指との接触からリリースされた場合に、キー正面は、平坦な又は丸みを帯びた装飾カバー表面と完全にアラインされるであろう。成形されたキー１ＳＰＬ及び１ＳＰＲは、成形されたキーをキーベース１２上にロックするための凸部１ＯＣも含む。
【０１６２】
成形されたフレーム及びキーのコストは、ガラスパネルのコストよりも低く、予算の価格内となり、ガラスキー及びパネルと同一の機能及び同様の外観を有し、予算を組んだ趣旨及び制限に対して提示される施設の「洗練された趣」を提供するであろう。
【０１６３】
さもなければ、上で論じられたスタッド３３Ａ及びレセプタクル３３及びロッキングアーム３４などの取り付け要素は、スイッチ、キー、ＡＣアウトレットを組み立てる要素に含まれており、及び装飾パネル又はフレームは全て、組立及び組立のプロセスにおいて含まれ、所与の機能を形成する。
【０１６４】
図１６Ｃ及び図１６Ｄは、上で開示されたトグル又はロッカースイッチを動作させるためのキーが上で開示されたプッシュ位置を識別するためのデュアルインジケータを必要とすることを除いて、図１６Ａ〜図１６Ｂに示されたものと同一のフレーム又はパネル及びキーを示す。
【０１６５】
図１７は、インジケータ３ＬＧ−２が３ＬＧ−１と共に、網線が引かれた表面において示されるインジケータ１−ＩＮ−１及び１−ＩＮ−２の辺りでキー１ＳＧＤ又は１ＳＰＬＤの対向する端部において２つの表面のうちの１つを示すことを必要とする手動で作動されるロッカー及びトグルスイッチのためのｎ個のインジケータを含むように修正された、米国特許第９，２１９，３５８号明細書において開示されたインテリジェント支持ボックスのブロック図を示す。
【０１６６】
米国特許第９，２１９，３５８号明細書の支持ボックスのブロック図（図１２）は、本発明のインジケータ３ＬＧ−１に均等である、ｎ個のインジケータＫＬ−１〜ＫＬｎを開示しているが、インジケータ３ＬＧ−２及びそれらのドライバを開示していない。
【０１６７】
米国特許第９，２１９，３５８号明細書において開示されているインテリジェントウォールボックスは、ＳＰＤＴスイッチであれ、ＳＰＤＴスイッチであれ、ＤＰＳＴスイッチであれ、又はＤＰＤＴ反転スイッチであれ、各ハイブリッドスイッチ又は手動スイッチを介して引き込まれ、又はドレーンされる電流を検出する。さらに、インテリジェントボックスは、各接続された端子及びその負荷ステータスを感知し、識別することを開示し、負荷に接続された（ＳＰＤＴスイッチ及びＤＰＤＴのスイッチの）デュアルトラベラー線の１つの端子をさらに識別する。
【０１６８】
上記の感知機能は、支持ボックスに差し込まれた各手動スイッチのための構造化され、プログラムされた端子と組み合わされて、各スイッチの厳密なステータス、及びスイッチに接続された負荷のステータスを識別するために必要なデータを全て提供し、それに応じて、以前に組み込まれたインジケータＫＬ−１〜ＫＬ−ｎがインジケータ３ＡＬＧになるように制御し、本発明の必要とされる「ｎ」個のインジケータ３ＢＬＧをさらに駆動する。
【０１６９】
上記の全てから、本発明のインテリジェント支持ボックス又は非インテリジェント支持ボックスに取り付けられた装飾パネル及びキーが、新規であり、革新的であり、かつ、電気配線分野において経験されたことがないことが、明らかとなるべきである。スイッチ、キー及びパネルの新しい組み合わせは、今日の電気パネル及びキーのコスト並びに無視することができない構造的な機構及び美観の再考を曖昧な状態で待ち望んでいた、電力を管理し、制御するための審美的に魅力的な外観を提供するための新しい展望を提示する。
【０１７０】
当然ながら、前述の開示は、本発明の好適な実施形態のみに関連していること、及び、開示の目的のために本明細書において選ばれている本発明の例のあらゆる変形及び変更をカバーするように意図されており、その変更は、本発明の範囲からの逸脱を構成しないことが、理解されるべきである。
【図１Ａ】
0006780822.tif 000002
【図１Ｂ】
0006780822.tif 000003
【図１Ｃ】
0006780822.tif 000004
【図１Ｄ】
0006780822.tif 000005
【図２Ａ】
0006780822.tif 000006
【図２Ｂ】
0006780822.tif 000007
【図２Ｃ】
0006780822.tif 000008
【図２Ｄ】
0006780822.tif 000009
【図２Ｅ】
0006780822.tif 000010
【図３Ａ】
0006780822.tif 000011
【図３Ｂ】
0006780822.tif 000012
【図３Ｃ】
0006780822.tif 000013
【図４Ａ】
0006780822.tif 000014
【図４Ｂ】
0006780822.tif 000015
【図４Ｃ】
0006780822.tif 000016
【図４Ｄ】
0006780822.tif 000017
【図５Ａ】
0006780822.tif 000018
【図５Ｂ】
0006780822.tif 000019
【図５Ｃ】
0006780822.tif 000020
【図６Ａ】
0006780822.tif 000021
【図６Ｂ】
0006780822.tif 000022
【図７Ａ】
0006780822.tif 000023
【図７Ｂ】
0006780822.tif 000024
【図７Ｃ】
0006780822.tif 000025
【図８Ａ】
0006780822.tif 000026
【図８Ｂ】
0006780822.tif 000027
【図８Ｃ】
0006780822.tif 000028
【図９】
0006780822.tif 000029
【図１０Ａ】
0006780822.tif 000030
【図１０Ｂ】
0006780822.tif 000031
【図１０Ｃ】
0006780822.tif 000032
【図１０Ｄ】
0006780822.tif 000033
【図１０Ｅ】
0006780822.tif 000034
【図１０Ｆ】
0006780822.tif 000035
【図１１Ａ】
0006780822.tif 000036
【図１１Ｂ】
0006780822.tif 000037
【図１２Ａ】
0006780822.tif 000038
【図１２Ｂ】
0006780822.tif 000039
【図１２Ｃ】
0006780822.tif 000040
【図１２Ｄ】
0006780822.tif 000041
【図１２Ｅ】
0006780822.tif 000042
【図１２Ｆ】
0006780822.tif 000043
【図１２Ｇ】
0006780822.tif 000044
【図１３Ａ】
0006780822.tif 000045
【図１３Ｂ】
0006780822.tif 000046
【図１３Ｃ】
0006780822.tif 000047
【図１３Ｄ】
0006780822.tif 000048
【図１３Ｅ】
0006780822.tif 000049
【図１３Ｆ】
0006780822.tif 000050
【図１３Ｇ】
0006780822.tif 000051
【図１４Ａ】
0006780822.tif 000052
【図１４Ｂ】
0006780822.tif 000053
【図１４Ｃ】
0006780822.tif 000054
【図１４Ｄ】
0006780822.tif 000055
【図１４Ｅ】
0006780822.tif 000056
【図１４Ｆ】
0006780822.tif 000057
【図１４Ｇ】
0006780822.tif 000058
【図１５Ａ】
0006780822.tif 000059
【図１５Ｂ】
0006780822.tif 000060
【図１５Ｃ】
0006780822.tif 000061
【図１５Ｄ】
0006780822.tif 000062
【図１６Ａ】
0006780822.tif 000063
【図１６Ｂ】
0006780822.tif 000064
【図１６Ｃ】
0006780822.tif 000065
【図１６Ｄ】
0006780822.tif 000066
【図１７】
0006780822.tif 000067